(57)【要約】本発明はデータ伝送装置及びデータ伝送方法を開示する。本発明のデータ伝送装置はＴｙｐｅ−Ｃポートを採用し、Ｔｙｐｅ−Ｃポートは端末装置により出力されたＤＰプロトコルフォーマットのメディアデータを直接取得することができ、ＤＰ（ＤｉｓｐｌａｙＰｏｒｔ）の動作モードでは、ユーザの端末装置が特定のドライバをインストールする必要がなく、ドライバ無しでデータ伝送装置にビデオデータ及びオーディオデータを含むメディアコンテンツを送信することができる。データ伝送装置のＴｙｐｅ−Ｃポートをユーザの端末装置に挿入している場合、データ伝送装置は、Ｔｙｐｅ−Ｃポートを介して端末装置の画面に表示されたメディアコンテンツを自動的に取得して通信ネットワークに送信することで、ドライバをインストールする必要がなく、画面を通信ネットワークにおける他のネットワークノードにキャストして表示することができる。ＵＳＢポートを用いて圧縮符号化後のデータを無線モジュールに伝送する従来技術に比べて、本発明の実施例は、ドライバ無しで画面をキャストし、画面キャスト前の準備時間を短縮し、処理装置のリソースを占有しないという効果を有する。
2022500883.tif 000002
【特許請求の範囲】
【請求項１】
Ｔｙｐｅ−Ｃポートと、無線モジュールと、第１データ変換チップと、マイクロプロセッサと、を含むデータ伝送装置であって、
前記Ｔｙｐｅ−Ｃポートは前記第１データ変換チップに接続され、前記第１データ変換チップは前記Ｔｙｐｅ−Ｃポート及びマイクロプロセッサに接続され、前記マイクロプロセッサは前記無線モジュールに接続され、
前記Ｔｙｐｅ−ＣポートはＤＰ（ＤｉｓｐｌａｙＰｏｒｔ）プロトコルフォーマットのメディアデータを受信し、前記メディアデータは端末装置の画面に表示されるメディアコンテンツであり、
前記第１データ変換チップは、前記Ｔｙｐｅ−Ｃポートにより送信されたＤＰプロトコルフォーマットのメディアデータを受信し、前記メディアデータを第１フォーマットデータに変換し、
前記マイクロプロセッサは、前記第１フォーマットデータを受信し、該第１フォーマットデータを第２フォーマットデータに圧縮符号化し、
前記無線モジュールは、前記第２フォーマットデータを送信することを特徴とするデータ伝送装置。
【請求項２】
第１ユーザ操作を受け付けるトリガ装置、をさらに含み、前記第１ユーザ操作は、画面キャストのトリガ信号であり、
前記第１ユーザ操作は、前記マイクロプロセッサが第１フォーマットデータを第２フォーマットデータに変換し、且つ前記無線モジュールが第２フォーマットデータを送信するようにトリガすることを特徴とする請求項１に記載のデータ伝送装置。
【請求項３】
前記トリガ装置が第１ユーザ操作を受け付ける前に、前記マイクロプロセッサは、受信された前記第１フォーマットデータに対して破棄処理を行うことを特徴とする請求項２に記載のデータ伝送装置。
【請求項４】
前記Ｔｙｐｅ−Ｃポートは、ＤＰプロトコルフォーマットのメディアデータを受信する少なくとも１対の差動信号伝送ピンを含むことを特徴とする請求項１に記載のデータ伝送装置。
【請求項５】
前記Ｔｙｐｅ−Ｃポートは、第１要求信号を送信するペアリング通信ピンをさらに含み、
前記第１要求信号は、端末装置が前記少なくとも１対の差動信号伝送ピンにＤＰプロトコルフォーマットのメディアデータを送信するように要求するために用いられることを特徴とする請求項１に記載のデータ伝送装置。
【請求項６】
前記ペアリング通信ピンは、第２要求信号をさらに送信し、
前記第２要求信号は、端末装置が前記データ伝送装置の電力供給需要に応じて電力を供給するように要求するために用いられることを特徴とする請求項５に記載のデータ伝送装置。
【請求項７】
前記第１フォーマットデータは、ＭＩＰＩフォーマットのビデオデータ及び／又はＩ２Ｓフォーマットのオーディオデータを含むことを特徴とする請求項１に記載のデータ伝送装置。
【請求項８】
前記第２フォーマットデータは、Ｈ．２６４／Ｈ．２６５フォーマットのビデオデータ及び／又はＡＡＣフォーマットのオーディオデータを含むことを特徴とする請求項１に記載のデータ伝送装置。
【請求項９】
前記Ｔｙｐｅ−Ｃポートは、前記マイクロプロセッサに接続されるＵＳＢ２．０データ伝送ピンをさらに含むことを特徴とする請求項１に記載のデータ伝送装置。
【請求項１０】
前記無線モジュールは、通信ネットワークからタッチ信号を受信し、前記ＵＳＢ２．０データ伝送ピンを介して該タッチ信号を端末装置に送信することを特徴とする請求項９に記載のデータ伝送装置。
【請求項１１】
前記マイクロプロセッサは、前記無線モジュールにより通信ネットワークから受信されたタッチ信号をＨＩＤ（Ｈｕｍａｎ  Ｉｎｔｅｒｆａｃｅ  Ｄｅｖｉｃｅ）装置フォーマットの信号にパッケージングすることを特徴とする請求項１０に記載のデータ伝送装置。
【請求項１２】
前記マイクロプロセッサに電気的に接続されるメモリ、をさらに含み、
前記メモリには実行可能なプログラムが記憶され、前記実行可能なプログラムは端末装置にダウンロードされて実行され、前記実行可能なプログラムは、端末装置で実行される際に、端末装置がメディアコンテンツを取得し、且つ端末装置が取得されたメディアコンテンツをＵＳＢ２．０データに圧縮符号化するようにトリガし、
前記マイクロプロセッサは、トリガされた場合、前記メモリから前記実行可能なプログラムを取得し、前記実行可能なプログラムを端末装置に送信し、
前記マイクロプロセッサは、受信されたＵＳＢ２．０データを前記無線モジュールを介して送信することを特徴とする請求項１０に記載のデータ伝送装置。
【請求項１３】
第２データ変換チップをさらに含み、
前記第１データ変換チップは、前記第２データ変換チップを介して前記マイクロプロセッサに接続されることを特徴とする請求項１に記載のデータ伝送装置。
【請求項１４】
データ伝送方法であって、
Ｔｙｐｅ−Ｃポートと端末装置のＴｙｐｅ−Ｃ受信ポートとの接続により、電源をオンにするステップと、
前記Ｔｙｐｅ−Ｃポートのペアリング通信ピンを介して前記端末装置に要求信号を送信するステップであって、前記要求信号は、前記端末装置が前記Ｔｙｐｅ−Ｃポートの少なくとも１対の差動信号伝送ピンにＤＰ（ＤｉｓｐｌａｙＰｏｒｔ）プロトコルフォーマットのメディアデータを送信するように要求するために用いられる、ステップと、
前記差動信号伝送ピンを介してＤＰプロトコルフォーマットのメディアデータを受信するステップであって、前記メディアデータは、前記端末装置の画面に表示されるビデオデータ又はオーディオデータのうちの少なくとも１つを含む、ステップと、
所定の符号化方式に従って、前記メディアデータを圧縮するステップと、
前記圧縮されたメディアデータを表示するように無線ネットワークを介して会議表示装置に送信するステップと、を含むことを特徴とするデータ伝送方法。
【請求項１５】
前記Ｔｙｐｅ−Ｃポートのペアリング通信ピンを介して前記端末装置に要求信号を送信するステップであって、前記要求信号は、前記端末装置が前記Ｔｙｐｅ−Ｃポートの少なくとも１対の差動信号伝送ピンにＤＰ（ＤｉｓｐｌａｙＰｏｒｔ）プロトコルフォーマットのメディアデータを送信するように要求するために用いられる、ステップは、
前記端末装置によりそのＴｙｐｅ−Ｃポートを介して送信された問い合わせデータパケットを受信するステップであって、前記問い合わせデータパケットは、ＶＤＭ（Ｖｅｎｄｏｒ  Ｄｅｆｉｎｅｄ  Ｍｅｓｓａｇｅ）信号である、ステップと、
前記Ｔｙｐｅ−Ｃポートを介して前記端末装置に応答情報を送信するステップであって、前記応答情報は、現在の動作モードがＤＰモードである旨の情報を含む、ステップと、を含むことを特徴とする請求項１４に記載のデータ伝送方法。
【請求項１６】
前記所定の符号化方式に従って、前記メディアデータを圧縮をするステップは、
前記ＤＰプロトコルフォーマットのメディアデータをＨ．２６４／Ｈ．２６５フォーマットのデータ及び／又はＡＡＣフォーマットのデータに圧縮するステップ、を含むことを特徴とする請求項１４又は１５に記載のデータ伝送方法。
【請求項１７】
前記ＤＰプロトコルフォーマットのメディアデータをＨ．２６４／Ｈ．２６５フォーマットのデータ及び／又はＡＡＣフォーマットのデータに圧縮する前に、画面キャストの開始指令を受信することを特徴とする請求項１６に記載のデータ伝送方法。
【請求項１８】
前記所定の符号化方式に従って、前記メディアデータを圧縮するステップは、
前記ＤＰプロトコルフォーマットのメディアデータをＭＩＰＩフォーマットのビデオデータ及び／又はＩ２Ｓフォーマットのオーディオデータに変換し、前記ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮するステップ、を含むことを特徴とする請求項１４又は１５に記載のデータ伝送方法。
【請求項１９】
前記ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮する前に、画面キャストの開始指令を受信することを特徴とする請求項１８に記載のデータ伝送方法。
【請求項２０】
会議表示装置からのタッチ信号を受信し、処理装置が前記タッチ信号に基づいて対応する動作を行うように前記タッチ信号を前記処理装置に送信するステップ、をさらに含むことを特徴とする請求項１４に記載のデータ伝送方法。
【請求項２１】
無線画面キャスト装置に適用されるデータ伝送方法であって、
前記無線画面キャスト装置は、Ｔｙｐｅ−Ｃポートと、無線モジュールと、データ変換チップと、マイクロプロセッサと、を含み、
前記Ｔｙｐｅ−Ｃポートは前記データ変換チップに接続され、前記データ変換チップは前記Ｔｙｐｅ−Ｃポート及びマイクロプロセッサにそれぞれ接続され、前記マイクロプロセッサは前記無線モジュールに接続され、
前記無線画面キャスト装置のＴｙｐｅ−Ｃポートと端末装置のＴｙｐｅ−Ｃ受信ポートとの接続により、電源をオンにし、
前記データ変換チップは、前記Ｔｙｐｅ−Ｃポートのペアリング通信ピンを介して端末装置に要求信号を送信し、前記要求信号は、前記端末装置が前記Ｔｙｐｅ−Ｃポートの少なくとも１対の差動信号伝送ピンにＤＰ（ＤｉｓｐｌａｙＰｏｒｔ）プロトコルフォーマットのメディアデータを送信するように要求するために用いられ、
前記データ変換チップは、前記差動信号伝送ピンを介してＤＰプロトコルフォーマットのメディアデータを受信し、前記メディアデータは、前記端末装置の画面に表示されるビデオデータ又はオーディオデータのうちの少なくとも１つを含み、
前記データ変換チップは、前記ＤＰプロトコルフォーマットのメディアデータをＭＩＰＩフォーマットのビデオデータ及び／又はＩ２Ｓフォーマットのオーディオデータに変換し、
前記データ変換チップは、前記ＭＩＰＩフォーマットのビデオデータ及び／又はＩ２Ｓフォーマットのオーディオデータを前記マイクロプロセッサに送信し、
前記マイクロプロセッサは、画面キャストの開始指令を受信し、
前記マイクロプロセッサは、前記ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮し、
前記マイクロプロセッサは、前記Ｈ．２６４／Ｈ．２６５フォーマットのデータ及び／又はＡＡＣフォーマットのデータを表示するように前記無線モジュールを介して会議表示装置に送信することを特徴とするデータ伝送方法。
【発明の詳細な説明】
【技術分野】
【０００１】
本発明の実施例は、インテリジェント会議の技術分野に関し、特にデータ伝送装置及びデータ伝送方法に関する。
【背景技術】
【０００２】
会議での人々のコミュニケーションを支援するために、従来技術は多くの技術的ソリューションを提供している。例えば、プレゼンテーションの文書をスクリーンに投影し、表示、共有、リモートのインスタントメッセージング及び大画面のタッチタブレットでの書きなどを提供する。別の方法は、無線画面キャスト装置を用いて、人々のパーソナルコンピュータの写真を会議室の大画面のタブレットに伝送する。
【０００３】
従来技術の無線の画面キャスト（ｓｃｒｅｅｎ  ｃａｓｔｉｎｇ）の原理は、処理装置（例えば人々のパーソナルコンピュータや携帯電話）でドライバ（ドライバプログラム）をインストールし、該ドライバは実行された後に一定の周波数で該処理装置の画面を取り込み、取り込まれた画面データを圧縮符号化し、ＵＳＢポートを介して該処理装置に挿入された無線画面キャスト装置に伝送し、無線画面キャスト装置の無線モジュールはデータを復号して表示するように通信ネットワークにおける会議用の大画面タブレットに送信する。従来の問題としては、ドライバをダウンロードし、処理装置でドライバをインストールする必要があり、インストールプロセスに時間がかかり、会議の効率に大きく影響を与える。
【発明の概要】
【発明が解決しようとする課題】
【０００４】
本発明の実施例は、ドライバ無しで画面をキャストし、画面キャスト前の準備時間を短縮し、処理装置のリソースを占有しない、データ伝送装置及びデータ伝送方法を提供する。
【課題を解決するための手段】
【０００５】
本発明の実施例の第１態様では、Ｔｙｐｅ−Ｃポートと、無線モジュールと、第１データ変換チップと、マイクロプロセッサと、を含むデータ伝送装置であって、前記Ｔｙｐｅ−Ｃポートは前記第１データ変換チップに接続され、前記第１データ変換チップは前記Ｔｙｐｅ−Ｃポート及びマイクロプロセッサに接続され、前記マイクロプロセッサは前記無線モジュールに接続され、前記Ｔｙｐｅ−ＣポートはＤＰ（ＤｉｓｐｌａｙＰｏｒｔ）プロトコルフォーマットのメディアデータを受信し、前記メディアデータは端末装置の画面に表示されるメディアコンテンツであり、前記第１データ変換チップは、前記Ｔｙｐｅ−Ｃポートにより送信されたＤＰプロトコルフォーマットのメディアデータを受信し、前記メディアデータを第１フォーマットデータに変換し、前記マイクロプロセッサは、前記第１フォーマットデータを受信し、該第１フォーマットデータを第２フォーマットデータに圧縮符号化し、前記無線モジュールは、前記第２フォーマットデータを送信する、データ伝送装置を提供する。
【０００６】
第１フォーマットデータは、ＭＩＰＩフォーマットのビデオデータ及び／又はＩ２Ｓフォーマットのオーディオデータを含む。第２フォーマットデータは、Ｈ．２６４／Ｈ．２６５フォーマットのビデオデータ及び／又はＡＡＣフォーマットのオーディオデータを含む。第１フォーマットデータ及び第２フォーマットデータは、何れも汎用のオーディオ／ビデオ伝送プロトコルを用いることで、汎用性を向上させることができる。
【０００７】
本実施例に係るデータ伝送装置はＴｙｐｅ−Ｃポートを含み、Ｔｙｐｅ−Ｃポートは端末装置により出力されたＤＰプロトコルフォーマットのメディアデータを直接取得することができ、ＤＰ（ＤｉｓｐｌａｙＰｏｒｔ）の動作モードでは、ユーザの端末装置が特定のドライバをインストールする必要がなく、ドライバ無しでデータ伝送装置にビデオデータ及びオーディオデータを含むメディアコンテンツを送信することができる。また、データ伝送装置は、ＤＰプロトコルフォーマットのメディアデータを第１フォーマットデータに変換する第１データ変換チップと、第１フォーマットデータを第２フォーマットデータに変換するマイクロプロセッサと、第２フォーマットデータを無線通信ネットワークに送信する無線モジュールと、を含む。データ伝送装置のＴｙｐｅ−Ｃポートをユーザの端末装置に挿入している場合、データ伝送装置は、Ｔｙｐｅ−Ｃポートを介して端末装置の画面に表示されたメディアコンテンツを自動的に取得して通信ネットワークに送信することで、ドライバをインストールする必要がなく、画面を通信ネットワークにおける他のネットワークノードにキャストして表示することができる。ＵＳＢポートを用いて圧縮符号化後のデータを無線モジュールに伝送する従来技術に比べて、本発明の実施例は、ドライバ無しで画面をキャストし、画面キャスト前の準備時間を短縮し、処理装置のリソースを占有しないという効果を有する。
【０００８】
好ましい態様では、データ伝送装置は、第１ユーザ操作を受け付けるトリガ装置をさらに含み、前記第１ユーザ操作は、画面キャストのトリガ信号であり、前記第１ユーザ操作は、前記マイクロプロセッサが第１フォーマットデータを第２フォーマットデータに変換し、且つ前記無線モジュールが第２フォーマットデータを送信するようにトリガする。
【０００９】
トリガ装置は、マイクロプロセッサの圧縮符号化の動作及び無線モジュールの送信の動作を制御する。具体的には、トリガ装置は、物理的な入力デバイス、例えばデータ伝送装置に設けられたボタン又はデータ伝送装置に無線で接続されたリモートコントローラである。トリガ装置が第１ユーザ操作を受け付ける前に、該マイクロプロセッサは、受信された該第１フォーマットデータに対して破棄（ｄｉｓｃａｒｄ）処理を行うことで、不要な圧縮符号化及び送信の動作を削減することができる。第１ユーザ操作を受け付けた後に、マイクロプロセッサは、圧縮及び符号化を開始し、第１フォーマットデータを第２フォーマットデータに圧縮符号化し、第２フォーマットデータを無線モジュールを介して送信する。
【００１０】
好ましい態様では、Ｔｙｐｅ−Ｃポートは、ＤＰプロトコルフォーマットのメディアデータを受信する少なくとも１対の差動信号伝送ピンを含む。端末装置は、そのオペレーティングシステムに予めインストールされたＤＰ（ＤｉｓｐｌａｙＰｏｒｔ）ドライバを呼び出し、表示メモリからメディアコンテンツを含むメディアデータ（ビデオデータ及びオーディオデータを含む）を取得し、ＤＰ（ＤｉｓｐｌａｙＰｏｒｔ）プロトコルに従って該データをパッケージングし、ＵＳＢ−Ｔｙｐｅ−Ｃポートの差動信号伝送ピンを介してＴｙｐｅ−Ｃポート２１における差動信号伝送ピンに送信する。具体的には、メディアコンテンツは、端末装置の画面に表示されるコンテンツを含むが、これに限定されない。このように、端末装置がオペレーティングシステムに予めインストールされたＤＰ（ＤｉｓｐｌａｙＰｏｒｔ）ドライバを呼び出し、端末装置のＵＳＢ−Ｔｙｐｅ−Ｃポートの差動信号伝送ピンペアをＤＰ（ＤｉｓｐｌａｙＰｏｒｔ）モードで動作するように設定し、データ伝送装置におけるＴｙｐｅ−Ｃポートの差動信号伝送ピンにＤＰプロトコルフォーマットのメディアデータを送信することで、データ伝送装置はユーザの端末装置に挿入されている場合にドライバ無しで動作することができる。
【００１１】
好ましい態様では、該Ｔｙｐｅ−Ｃポートは、第１要求信号を送信するペアリング通信ピンをさらに含み、該第１要求信号は、端末装置が該少なくとも１対の差動信号伝送ピンにＤＰプロトコルフォーマットのメディアデータを送信するように要求するために用いられる。該ペアリング通信ピンは、第２要求信号をさらに送信し、該第２要求信号は、端末装置が該データ伝送装置の電力供給需要に応じて電力を供給するように要求するために用いられる。具体的には、ペアリング通信ピンは、ＵＳＢ−Ｔｙｐｅ−ＣのＣＣピンである。ユーザの端末装置にデータ伝送装置が挿入されると、データ伝送装置のＴｙｐｅ−ＣポートのＣＣピンとユーザの端末装置のＵＳＢ−Ｔｙｐｅ−ＣポートのＣＣピンとが接続され、接続されたＣＣピンを介して構成情報が送信される。ＵＳＢ−Ｔｙｐｅ−Ｃは汎用ポートであるため、ユーザの端末装置及びデータ伝送装置に予めインストールされており、両者のペアリングによりドライバ無しで動作することができる。
【００１２】
好ましい態様では、該Ｔｙｐｅ−Ｃポートは、該マイクロプロセッサに接続されるＵＳＢ２．０データ伝送ピンをさらに含む。該無線モジュールは、通信ネットワークからタッチ信号を受信し、該ＵＳＢ２．０データ伝送ピンを介して該タッチ信号を端末装置に送信する。好ましくは、マイクロプロセッサは、該無線モジュールにより通信ネットワークから受信されたタッチ信号をＨＩＤ装置フォーマットの信号にパッケージングする。Ｔｙｐｅ−Ｃポートは、マイクロプロセッサに接続されたＵＳＢ２．０データ伝送ピンをさらに含み、該ＵＳＢ２．０データ伝送ピンを介して他の装置の端末装置に対する制御信号を端末装置に送信し戻し、インタラクションを行ってもよい。好ましくは、それと同時に、マイクロプロセッサでこれらの制御情報をＨＩＤ装置フォーマットの信号にパッケージングしてもよい。ＨＩＤ装置フォーマットは各主流のオペレーティングシステムにより元々サポートされているフォーマットであるため、端末装置は、専用のドライバを開発する必要がなく、ＨＩＤ装置フォーマットの信号に直接応答でき、開発の作業量を節約し、汎用性を向上させることができる。
【００１３】
データ伝送装置は、該マイクロプロセッサに電気的に接続されるメモリをさらに含む。該メモリには実行可能なプログラムが記憶され、該実行可能なプログラムは端末装置にダウンロードされて実行され、該実行可能なプログラムは、端末装置で実行される際に、端末装置がメディアコンテンツを取得し、且つ端末装置が取得されたメディアコンテンツをＵＳＢ２．０データに圧縮符号化するようにトリガする。該マイクロプロセッサは、トリガされた場合、該メモリから該実行可能なプログラムを取得し、該実行可能なプログラムを端末装置に送信する。該マイクロプロセッサは、受信されたＵＳＢ２．０データを該無線モジュールを介して送信する。
【００１４】
端末装置のＵＳＢ２．０データ伝送ピンに対応するピンは、ＵＳＢ−Ｔｙｐｅ−Ｃソケットにおけるピンであってもよいし、ＵＳＢ２．０ソケット又はＵＳＢ３．０ソケットにおけるピンであってもよい。端末装置がＵＳＢ−Ｔｙｐｅ−Ｃソケットを有する場合、データ伝送装置は、Ｔｙｐｅ−Ｃポート２１を該ソケットに直接挿入し、差動信号伝送ピンを用いてＤＰプロトコルフォーマットのメディアデータを伝送し、端末装置とデータ伝送装置とのＵＳＢ２．０データ伝送ピンが対応して接続されることで、他のデータを伝送してもよい。端末装置がＵＳＢ−Ｔｙｐｅ−Ｃソケットを有せず、ＵＳＢ２．０ソケット又はＵＳＢ３．０ソケットのみを有する場合、データ伝送装置のＴｙｐｅ−ＣポートにＴｙｐｅ−ＣソケットとＵＳＢ２．０プラグ又はＵＳＢ３．０プラグとの変換のためのインターフェイス・コンバータを接続すれば良い。この場合、データ伝送装置を端末装置の対応するソケットに挿入することができ、端末装置はデータ伝送装置からプログラムをダウンロードし、端末装置のメディアコンテンツをＵＳＢ２．０データに圧縮符号化して出力し、ＵＳＢ２．０データ伝送ピンを介してデータ伝送装置に伝送することができ、データ伝送装置の互換性を向上させることができる。
【００１５】
好ましくは、データ伝送装置は第２データ変換チップをさらに含み、該第１データ変換チップは、該第２データ変換チップを介して該マイクロプロセッサに接続される。データ伝送装置によりＴｙｐｅ−Ｃポートを介して受信されたＤＰプロトコルフォーマットのメディアデータは、２つの変換チップによりフォーマットを変換することで、開発プロセスにおけるデバイスソースの発見の困難さを軽減することができる。
【００１６】
本実施例のもう１つの態様では、データ伝送方法であって、プロセッサ又は第１データ変換チップがＴｙｐｅ−Ｃポートを介して端末装置との接続を識別するステップと、Ｔｙｐｅ−Ｃポートのペアリング通信ピンを介して端末装置に第１要求信号を送信するステップであって、前記第１要求信号は、端末装置が該少なくとも１対の差動信号伝送ピンにＤＰプロトコルフォーマットのメディアデータを送信するように要求するために用いられる、ステップと、第１ユーザ操作を受け付け、該差動信号伝送ピンを介してＤＰプロトコルフォーマットのメディアデータを受信するステップであって、前記メディアデータは、ユーザの端末装置からのビデオデータ又はオーディオデータのうちの少なくとも１つを含む、ステップと、メディアデータを第１フォーマットデータに変換するステップと、符号化方式に従って、第１フォーマットデータを第２フォーマットデータに圧縮符号化するステップであって、第２フォーマットデータは圧縮メディアデータストリームである、ステップと、前記圧縮メディアデータストリームを通信ネットワークを介して送信するステップと、通信ネットワークからタッチ信号を受信し、該タッチ信号を端末装置に送信するステップと、を含むことを特徴とするデータ伝送方法、をさらに提供する。
【００１７】
好ましくは、第２ユーザ操作を受け付けた後に、第１フォーマットデータの第２フォーマットデータへの圧縮符号化を停止し、受信された第１フォーマットデータに対して破棄処理を行い、ここで、該第２ユーザ操作は、画面キャスト停止信号である。
【００１８】
好ましくは、Ｔｙｐｅ−Ｃポートのペアリング通信ピンを介して端末装置に第２要求信号を送信し、該第２要求信号は、端末装置が該データ伝送装置の電力供給需要に応じて電力を供給するように要求するために用いられる。
【００１９】
本実施例のもう１つの態様では、無線画面キャスト装置に適用されるデータ伝送方法であって、前記無線画面キャスト装置は、Ｔｙｐｅ−Ｃポートと、無線モジュールと、データ変換チップと、マイクロプロセッサと、を含み、前記Ｔｙｐｅ−Ｃポートは前記データ変換チップに接続され、前記データ変換チップは前記Ｔｙｐｅ−Ｃポート及びマイクロプロセッサにそれぞれ接続され、前記マイクロプロセッサは前記無線モジュールに接続され、前記無線画面キャスト装置のＴｙｐｅ−Ｃポートと端末装置のＴｙｐｅ−Ｃ受信ポートとの接続により、電源をオンにし、前記データ変換チップは、前記Ｔｙｐｅ−Ｃポートのペアリング通信ピンを介して端末装置に要求信号を送信し、前記要求信号は、前記端末装置が前記Ｔｙｐｅ−Ｃポートの少なくとも１対の差動信号伝送ピンにＤＰプロトコルフォーマットのメディアデータを送信するように要求するために用いられ、前記データ変換チップは、前記差動信号伝送ピンを介してＤＰプロトコルフォーマットのメディアデータを受信し、前記メディアデータは、前記端末装置の画面に表示されるビデオデータ又はオーディオデータのうちの少なくとも１つを含み、前記データ変換チップは、前記ＤＰプロトコルフォーマットのメディアデータをＭＩＰＩフォーマットのビデオデータ及び／又はＩ２Ｓフォーマットのオーディオデータに変換し、前記データ変換チップは、前記ＭＩＰＩフォーマットのビデオデータ及び／又はＩ２Ｓフォーマットのオーディオデータを前記マイクロプロセッサに送信し、前記マイクロプロセッサは、画面キャストの開始指令を受信し、前記マイクロプロセッサは、前記ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮し、前記マイクロプロセッサは、前記Ｈ．２６４／Ｈ．２６５フォーマットのデータ及び／又はＡＡＣフォーマットのデータを表示するように前記無線モジュールを介して会議表示装置に送信する、データ伝送方法を提供する。
【００２０】
本実施例のデータ伝送装置はＴｙｐｅ−Ｃポートを採用し、Ｔｙｐｅ−Ｃポートは端末装置により出力されたＤＰプロトコルフォーマットのメディアデータを直接取得することができ、ＤＰ（ＤｉｓｐｌａｙＰｏｒｔ）の動作モードでは、ユーザの端末装置が特定のドライバをインストールする必要がなく、ドライバ無しでデータ伝送装置にビデオデータ及びオーディオデータを含むメディアコンテンツを送信することができる。また、データ伝送装置は、ＤＰプロトコルフォーマットのメディアデータを第１フォーマットデータに変換する第１データ変換チップと、第１フォーマットデータを第２フォーマットデータに変換するマイクロプロセッサと、第２フォーマットデータを無線通信ネットワークに送信する無線モジュールと、を含む。データ伝送装置のＴｙｐｅ−Ｃポートをユーザの端末装置に挿入している場合、データ伝送装置は、Ｔｙｐｅ−Ｃポートを介して端末装置の画面に表示されたメディアコンテンツを自動的に取得して通信ネットワークに送信することで、ドライバをインストールする必要がなく、画面を通信ネットワークにおける他のネットワークノードにキャストして表示することができる。ＵＳＢポートを用いて圧縮符号化後のデータを無線モジュールに伝送する従来技術に比べて、本発明の実施例は、ドライバ無しで画面をキャストし、画面キャスト前の準備時間を短縮し、処理装置のリソースを占有しないという効果を有する。
【図面の簡単な説明】
【００２１】
【図１】本発明の実施例に係る周辺装置の１つの態様の構成の概略図である。
【図２】本発明の実施例に係る周辺装置のもう１つの態様の構成の概略図である。
【図３】Ｔｙｐｅ−Ｃポートのピン配置図である。
【図４】本発明の実施例に係る周辺装置のもう１つの態様の構成の概略図である。
【図５】本発明の実施例に係る会議ツールの１つの態様の構成の概略図である。
【図６】本発明の実施例に係る会議ツールのもう１つの態様の構成の概略図である。
【図７】本発明の実施例に係る会議ツールシステムの１つの態様の構成の概略図である。
【発明を実施するための形態】
【００２２】
以下は図面及び実施例を参照しながら本発明を詳細に説明する。なお、ここで説明する具体的な実施例は単に本発明を説明するためのものであり、本発明を限定するものではない。また、説明の便宜上、図面では本発明に関連する部分のみを示し、構成全体を示すものではない。
【００２３】
さらに、明細書及び特許請求の範囲における「第１」、「第２」、「第３」などの用語は、単に同一の技術的特徴を区別するものであり、比較的な重要性を意味、示唆するものではなく、技術的特徴の数を意味、示唆するものではなく、順番又は時間上の順序を表すものではない。必要に応じて、用語を置き換えてもよい。よって、「第１」、「第２」として定義される特徴は、該特徴が少なくとも１つあることを明示的又は暗示的に表す場合がある。
【００２４】
同様に、明細書及び特許請求の範囲において使用される用語「接続」は、直接な接続に限定されない。よって、「装置Ａと装置Ｂとが接続される」の表現は、装置又はシステムにおける装置Ａが装置Ｂに直接接続されるものに限定されず、装置Ａと装置Ｂとの間に経路を有することを意味し、他の装置又はツールを含む経路であってもよい。
【００２５】
データ伝送装置は、処理装置と大画面表示装置との間で機能する。本発明の実施例では、データ伝送装置は、無線（ワイヤレス）の画面キャスト装置であってもよい。処理装置は、パーソナルコンピュータ、ＰＡＤ又は携帯電話であってもよい。大画面表示装置は、会議用のスマートタブレット又は会議表示装置であってもよい。なお、本発明の実施例はこれらの装置に限定されない。無線画面キャスト装置は、画面に表示されるオーディオデータとビデオデータを大画面表示装置に表示し、より多くの人が見て共有できるように、該データを処理する。
【００２６】
従来技術では、無線画面キャスト装置と処理装置とはＵＳＢポートの接続によりデータ伝送を行い、ＵＳＢポートはシリアルバスであり、ビデオ出力機能をサポートしておらず、処理装置のオペレーティングシステムは画面上のデータを無線画面キャスト装置に出力しないため、処理装置の画面のデータに対して画面キャプチャを行い、ＵＳＢポートを介して無線画面キャスト装置に送信し、表示のために無線画面キャスト装置を介して大画面表示装置に転送するドライバを個別に設計する必要がある。通常、無線画面キャスト装置にはドライバが予め記憶され、処理装置と無線画面キャスト装置とが接続されている場合、該ドライバが処理装置に自動的にダウンロードされ、処理装置で該ドライバが実行され、該ドライバが固定の周波数で該装置の画面を取り込み、取り込まれた画面データを無線画面キャスト装置に送信する。この技術の問題としては、ドライバをダウンロードし、処理装置でドライバをインストールする必要があり、インストールプロセスに時間がかかり、会議の効率に大きく影響を与える。
【００２７】
図１は本発明の実施例に係る周辺装置の１つの態様の構成の概略図である。周辺装置１０は、画面データ受信ポート１１及び無線モジュール１２を含む。画面データ受信ポート１１は、処理装置のビデオ信号ポートに接続され、ビデオ信号ポートにより出力された非圧縮の第１オーディオ／ビデオデータを取得する。処理装置は、第１プロセッサ、ビデオ信号ポート、及び第１ディスプレイを有する。第１プロセッサには第１オペレーティングシステムがインストールされている。第１オペレーティングシステムには、該ビデオ信号ポートと周辺装置との間でオーディオ／ビデオの通信を行うための汎用のドライバプロトコルが予めインストールされている。第１オーディオ／ビデオデータに対応するメディアコンテンツは、第１ディスプレイに表示されるメディアコンテンツと同一である。画面データ受信ポート１１は、無線モジュール１２に接続されている。無線モジュール１２は、無線通信ネットワークと通信を行い、受信された第１オーディオ／ビデオデータを無線通信ネットワークにおけるペアリングされているネットワークノードに送信する。
【００２８】
本明細書及び特許請求の範囲における処理装置は、第１プロセッサ及び第１ディスプレイを含み、且つ第１プロセッサに第１オペレーティングシステムがインストールされている装置、例えばノートブックコンピュータ、携帯電話又はタブレットコンピュータなどを意味する。上記の特徴の規定から分かるように、本発明の実施形態で言及されるビデオ信号ポートは、周辺装置とのオーディオ／ビデオの通信のプロセスにおいて第１オペレーティングシステムに予めインストールされた汎用ドライバプロトコルにより制約されており、第１オペレーティングシステムにドライバをインストールする必要がなく、予めインストールされた汎用ドライバプロトコルに従って周辺装置との間でオーディオ／ビデオの通信を行うことができる。オーディオ／ビデオの通信は、オーディオ／ビデオのデータの出力を含む。具体的には、一般的な処理装置には、複数のポート、例えば電源ポート、ＵＳＢポート、ＡＵＸポート、ＨＤＭＩ（登録商標）ポート、ＶＧＡポートなどが設けられている。ここで、ＡＵＸポートは、オーディオポートであり、ＡＵＸポートを有する周辺装置（例えばイヤフォンやスピーカ）がＡＵＸポートを介して処理装置に接続されている場合、処理装置における第１オペレーティングシステムにより予めインストールされた汎用ドライバプロトコルに従って、この際に処理装置における第１プロセッサによりスピーカに出力されたオーディオを取得する。ＨＤＭＩ（登録商標）ポート、ＶＧＡポート又はＤＰポートなどのビデオ信号ポートは、オーディオ／ビデオのデータを伝送するポートであり、同様に、第１オペレーティングシステムに予めインストールされた汎用ドライバプロトコルに従って動作し、即ち、これらのビデオ信号ポートにより出力されるオーディオ／ビデオのデータのフォーマットは、元々システムでサポートされているオーディオ／ビデオのデータの出力フォーマットであり、圧縮符号化などの変換を行わずに周辺装置に送信できる。周辺装置がこれらのビデオ信号ポートを介して処理装置に接続されている場合、この際に処理装置におけるプロセッサにより出力された第１オーディオ／ビデオのデータを取得することができ、該第１オーディオ／ビデオのデータに対応するメディアコンテンツは、第１ディスプレイに現在表示されているメディアコンテンツと同一である。従って、以上から、本発明の実施例で言及されるビデオ信号ポートは、処理装置におけるＨＤＭＩ（登録商標）ポート、ＶＧＡポート又はＤＰポートなどの、オペレーティングシステムに予めインストールされた汎用ドライバプロトコルに従って非圧縮の第１オーディオ／ビデオのデータを直接出力できるポートである。画面データ受信ポート１１は、該ビデオ信号ポートに接続可能な対応するポートである。
【００２９】
無線モジュール１２は、無線通信技術により実現されるモジュール製品であり、受信された信号が無線通信ネットワークにおけるネットワークノードにより取り込まれるように、該信号を無線の形で無線通信ネットワークに送信してもよい。例えば、現在短距離ＬＡＮ通信で広く使用されているＷｉＦｉモジュール、Ｂｌｕｅｔｏｏｔｈモジュール又はＺｉｇＢｅｅモジュールであってもよい。本実施例に係る周辺装置１０は、互いに接続された画面データ受信ポート１１及び無線モジュール１２を含み、即ち、処理装置の画面データを直接取得し、ビデオ画面の表示を行うように該データを無線通信ネットワークにおける他のネットワークノードに送信してもよい。通常、従来技術の一般的なポート形式によると、周辺装置１０の画面データ受信ポート１１はプラグとして設けられ、処理装置のビデオ信号ポートはソケットである。説明の便宜上、本明細書では、全ての内容について処理装置のポートがソケットであり、周辺装置のポートがプラグであることを一例にして説明する。会議のシーンでは、該周辺装置１０の画面データ受信ポート１１をパーソナルコンピュータのビデオ信号ポートに挿入してもよい。会議用大画面タブレットのネットワークノードモジュールと周辺装置１０の無線モジュール１２とが同一の無線通信ネットワークにおいてペアリングして接続されることで、パーソナルコンピュータのディスプレイ画面に対応するオーディオ／ビデオのデータを会議用の大画面タブレットに伝送し、パーソナルコンピュータにドライバをダウンロードする必要がなく、無線画面キャストを実現することができる。
【００３０】
以上の態様をベースにして、本発明の実施例は周辺装置のもう１つの態様を有してもよい。画面データ受信ポート１１と無線モジュール１２とは直接接続されておらず、マイクロプロセッサを介して接続されている。具体的には、マイクロプロセッサは該画面データ受信ポート１１に接続され、マイクロプロセッサは第１オーディオ／ビデオデータに対して圧縮及び符号化を行う。無線モジュール１２もマイクロプロセッサに接続され、無線モジュールは無線通信ネットワークとの通信を行い、受信された第１オーディオ／ビデオデータを該無線通信ネットワークにおけるペアリングされているネットワークノードに伝送する。周辺装置は無線画面キャストを行うため、無線伝送方式の伝送データ量への要求が厳しく、無線モジュールも外部の通信ネットワークにおけるネットワークノードとのペアリングを行う必要があるため、通常、周辺装置が対応する処理能力を持つことができるように、周辺装置にマイクロプロセッサを追加する必要がある。
【００３１】
図２は本発明の実施例に係る周辺装置のもう１つの態様の構成の概略図である。該周辺装置は、データ伝送装置であってもよいし、無線画面キャスト装置であってもよいが、本発明の実施例はこれらに限定されない。
【００３２】
本態様は、上記の態様をベースにして、画面データ受信ポートのタイプ及び周辺装置の内部構造の構成について複数の改良案を提供する。なお、以下に説明する複数の改良案は、実際の需要に応じて、必要な条件を満たし、且つ互いに矛盾がないように、より好ましい態様に自由に組み合わせてもよい。
【００３３】
本態様の第１の改良点は、データ伝送装置は、図２に示すＴｙｐｅ−Ｃポート２１を含むように設けられ、Ｔｙｐｅ−Ｃポート２１における差動信号伝送ピンは画面データ受信ポートである。処理装置のビデオ信号ポートから出力される非圧縮の第１オーディオ／ビデオデータは、ＤＰオーディオ／ビデオデータであり、該ビデオ信号ポートは、Ｔｙｐｅ−Ｃポートであってもよい。
【００３４】
該データ伝送装置は、会議、教育、医療診断、又は他の複数の人の共有シナリオで使用されるデータ伝送装置であり、主にユーザのパーソナルコンピュータ装置（例えばｗｉｎｄｏｗｓ、ｍａｃ又はＬｉｎｕｘ（登録商標）などのシステムが予めインストールされたコンピュータ、タブレット、携帯電話等（以下は処理装置と称する））の音声画像画面又はメディアコンテンツを表示、共有するように大画面ディスプレイ又は大画面タッチ表示パネル（例えばスマート・インタラクティブ・タブレット）に送信する。また、本態様に係るデータ伝送装置は、ユーザの処理装置に専用ドライバ（例えば画面キャプチャプログラムなど）をインストールする必要がなく、ユーザの処理装置での音声画像画面、メディアコンテンツを大画面ディスプレイ又は大画面タッチ表示パネルに伝送することができる。或いは、本実施例に係るデータ伝送装置は、処理装置自体のシステムに予めインストールされたドライバ及びポートを介して、処理装置から送信された音声画像画面、メディアコンテンツを受信する。データ伝送装置は、上述したＴｙｐｅ−Ｃポート２１、即ちＵＳＢ−Ｔｙｐｅ−Ｃを含み、以下はＴｙｐｅ−Ｃポート２１と略称する。ＵＳＢ−Ｔｙｐｅ−Ｃは、ユニバーサルシリアルバス（ＵＳＢ）ハードウェアポート仕様であり、より速い伝送速度（最大１０Ｇｂｐｓ）及びより強い電力伝送（最大１００Ｗ）を有し、ＵＳＢ２．０、ＵＳＢ３．０及びＤＰ（ＤｉｓｐｌａｙＰｏｒｔ）との互換性を有する。Ｔｙｐｅ−Ｃポート２１は、図３に示すように、同一の機能を有する２列のピンを含み、合計２４本のピンを有する。図３におけるピンＡ１〜Ａ１２は１つの列であり、ピンＢ１〜Ｂ１２はもう１つの列であり、正方向の挿入又は逆方向の挿入をサポートしている。Ｔｙｐｅ−Ｃポート２１は、２対（ペア）の電源ピン、４対の差動ピン、及び挿入及びペアリングを行う時のペアリング通信のためのＣＣピンを含む。具体的には、２対の電源ピンは図３におけるＡ９、Ｂ４、Ｂ９、Ａ４であり、４対の差動ピンは図３におけるＡ１１、Ｂ２、Ａ１０、Ｂ３、Ａ４、Ｂ１０、Ａ２、Ｂ１１であり、ＣＣピンは図３におけるＡ５である。ここで、各グループのピンのＴＸ＋、ＴＸ−、ＲＸ＋、ＲＸ−は差動信号伝送ピンであり、各グループの差動信号伝送ピンはＵＳＢモード又はＤＰ（ＤｉｓｐｌａｙＰｏｒｔ）モードでの動作をサポートしている。差動信号伝送ピンのペアがＵＳＢモードで動作する場合、該信号伝送ピンのペアはＵＳＢ３．０信号を伝送し、差動信号伝送ピンのペアがＤＰモードで動作する場合、該信号伝送ピンのペアはＤＰ（ＤｉｓｐｌａｙＰｏｒｔ）ポートとして使用される。
【００３５】
好ましい実施例として、本発明の実施例の態様は以下の方法により実現されてもよい。
【００３６】
（１）Ｔｙｐｅ−Ｃポートと端末装置のＴｙｐｅ−Ｃ受信ポートとの接続により、電源をオンにする。
【００３７】
具体的には、データ伝送装置のＴｙｐｅ−Ｃポート２１がユーザの処理装置の対応するＴｙｐｅ−Ｃ受信ポートに挿入されている場合、該処理装置はＴｙｐｅ−Ｃ受信ポートの電源ピンを介してデータ伝送装置に基本動作電圧を提供し、データ伝送装置は基本電圧の供給で動作を開始する。なお、該Ｔｙｐｅ−Ｃ受信ポートはＵＳＢ−Ｔｙｐｅ−Ｃポートであってもよく、該動作電圧は５Ｖ又は他の電圧であってもよい。具体的には、本発明の実施例では、Ｔｙｐｅ−Ｃポートは、図３に示すピンを有するハードウェアのポートであってもよい。特に、電力ピンＡ９、Ｂ４、Ｂ９、Ａ４を介してデータ伝送装置に給電してもよい。なお、上記の接続は、直接接続であってもよいし、間接接続であってもよいが、本実施例は接続方式に限定されない。
【００３８】
（２）Ｔｙｐｅ−Ｃポートのペアリング通信ピンを介して端末装置に要求信号を送信する。該要求信号は、端末装置が該少なくとも１対の差動信号伝送ピンにＤＰプロトコルフォーマットのメディアデータを送信するように要求するために用いられる。
【００３９】
具体的には、データ伝送装置がオンにされた後に、処理装置はＵＳＢ−Ｔｙｐｅ−ＣポートのＣＣピンを介してデータ伝送装置に問い合わせデータパケットを送信する。該問い合わせデータパケットは、ＶＤＭ（Ｖｅｎｄｏｒ  Ｄｅｆｉｎｅｄ  Ｍｅｓｓａｇｅ）信号である。データ伝送装置は、該ＶＤＭ信号を受信した後に、そのＴｙｐｅ−Ｃポート２１におけるＣＣピンを介して処理装置に応答情報を送信する。応答情報は、該データ伝送装置の現在の動作モード又はサポートされている動作モードがＤＰ（ＤｉｓｐｌａｙＰｏｒｔ）モードである旨の情報を含む。該応答情報は、該データ伝送装置の具体的な電力供給範囲などの情報を含んでもよい。処理装置は、データ伝送装置から送信された応答情報を受信した後、電力供給範囲情報に基づいて、データ伝送装置への電力供給電圧を調整する。また、処理装置は、データ伝送装置の現在の動作モード又はサポートされている動作モードがＤＰ（ＤｉｓｐｌａｙＰｏｒｔ）モードであると認識した場合、処理装置のＵＳＢ−Ｔｙｐｅ−ＣポートをＤＰ（ＤｉｓｐｌａｙＰｏｒｔ）モードで動作するように設定し、処理装置のオペレーティングシステムに予めインストールされたＤＰ（ＤｉｓｐｌａｙＰｏｒｔ）ドライバを呼び出し、処理装置のＵＳＢ−Ｔｙｐｅ−Ｃポートの差動ピンのペアを介してデータ伝送装置にオーディオ及びビデオを含むメディアコンテンツを伝送する。該コンテンツは、ＤＰプロトコルフォーマットのメディアデータであってもよく、該メディアデータは、処理装置のディスプレイに表示されるコンテンツを含むが、これに限定されない。
【００４０】
（３）差動信号伝送ピンを介してＤＰプロトコルフォーマットのメディアデータを受信する。ここで、メディアデータは、処理装置からのビデオデータ又はオーディオデータのうちの少なくとも１つを含む。
【００４１】
具体的には、本発明の実施例では、差動信号伝送ピンを用いて差動信号を伝送する。好ましくは、本発明の実施例では、図３に示すように、差動信号伝送ピンは４対の差動ピンであってもよく、例えば図３におけるＡ１１、Ｂ２、Ａ１０、Ｂ３、Ａ４、Ｂ１０、Ａ２、Ｂ１１である。
【００４２】
（４）メディアデータを第１フォーマットデータに変換する。
【００４３】
具体的には、該ステップはオプションのステップであってもよい。データ伝送装置のマイクロプロセッサがＤＰプロトコルフォーマットのメディアデータからＨ．２６４／Ｈ．２６５フォーマットのデータ及び／又はＡＡＣフォーマットのデータへの変換を直接サポートできない場合、データ伝送装置は、まずＤＰプロトコルフォーマットのメディアデータをマイクロプロセッサで処理可能なデータフォーマットに変換する必要がある。具体的には、データ伝送装置にデータ変換チップを新たに追加してもよく、ＤＰプロトコルフォーマットのメディアデータをＭＩＰＩフォーマットのビデオデータ及び／又はＩ２Ｓフォーマットのオーディオデータに変換してもよい。ＭＩＰＩ（Ｍｏｂｉｌｅ  Ｉｎｄｕｓｔｒｙ  Ｐｒｏｃｅｓｓｏｒ  Ｉｎｔｅｒｆａｃｅ：モバイル・インダストリ・プロセッサ・インターフェイス）は、ＭＩＰＩアライアンスにより提出されたモバイル・アプリケーション・プロセッサのためのオープンスタンダード及び仕様であり、主にモバイル装置のカメラ、ディスプレイポート、無線周波数（ＲＦ）／ベースバンドポートなどのポートを標準化統合する。Ｉ２Ｓ（Ｉｎｔｅｒ−ＩＣ  Ｓｏｕｎｄ：集積回路内蔵オーディオ）バスは、オーディオ機器間のデータ伝送のために用いられる。
【００４４】
（５）符号化スキームに従って、第１フォーマットデータを第２フォーマットデータに圧縮符号化する。ここで、第２フォーマットデータは、圧縮されたメディアデータストリームである。
【００４５】
具体的には、ステップ（４）が必須のステップである場合、マイクロプロセッサにより該ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮する。ステップ（４）が必須のステップではない場合、ＤＰプロトコルフォーマットのメディアデータをＨ．２６４／Ｈ．２６５フォーマットのデータ及び／又はＡＡＣフォーマットのデータに直接圧縮してもよい。圧縮後のデータは、より少ない帯域幅を占有しているため、同一の送信要求では、より多くのデータを送信することができる。
【００４６】
（６）該圧縮されたメディアデータストリームを通信ネットワークを介して送信する。
【００４７】
具体的には、圧縮されたデータは、無線ネットワークを介して表示のための大画面表示装置に送信されてもよい。好ましくは、該無線ネットワークは、Ｗｉ−Ｆｉネットワーク、３Ｇ／４Ｇ／５Ｇ通信ネットワーク、又はデータ伝送機能を有する他のネットワークであってもよい。本実施例は、無線ネットワークのタイプに限定されない。
【００４８】
好ましくは、ＭＩＰＩフォーマットのビデオデータ及び／若しくはＩ２Ｓフォーマットのオーディオデータを圧縮する前、又はＤＰプロトコルフォーマットのメディアデータを圧縮する前に、ユーザの画面キャストの開始指令をさらに受信する。ユーザにより入力された画面キャストの開始指令に基づいて該データを圧縮し、圧縮されたデータを無線ネットワークを介して表示のための大画面表示装置に送信する。
【００４９】
好ましくは、ユーザの画面キャストの開始指令を受信する前に、受信されたＭＩＰＩフォーマットのビデオデータ及び／若しくはＩ２Ｓフォーマットのオーディオデータ、又はＤＰプロトコルフォーマットのメディアデータに対して、圧縮及び伝送処理を行わずに破棄処理を行う。これによって、データ伝送装置のマイクロプロセッサのリソースを節約することができる。
【００５０】
（７）大画面表示装置からのタッチ信号を受信し、該タッチ信号を処理装置に送信する。
【００５１】
具体的には、会議のシナリオでは、大画面表示装置はタッチ機能を備えており、ユーザのタッチ操作をリアルタイムで受け付けることができる。大画面表示装置は、該タッチ操作をタッチ信号に変換し、該タッチ信号を無線ネットワークを介してデータ伝送装置に送信する。データ伝送装置は、該タッチ信号を処理装置に送信し、処理装置は、該タッチ信号に応答し、或いはタッチ信号に基づいて対応するアプリケーションプログラムを開始することで、タッチバック機能を実現し、人間とコンピュータとのインタラクションのエクスペリエンスを向上させることができる。
【００５２】
本発明の実施例では、処理装置のオペレーティングシステム自体がＤＰ（ＤｉｓｐｌａｙＰｏｒｔ）ポートを介するオーディオ／ビデオデータの伝送をサポートしているため、無線画面キャスト装置を再設計することで、無線画面キャスト装置は自分のＴｙｐｅ−Ｃポートと処理装置のＴｙｐｅ−Ｃポートとの接続を用い、処理装置はＴｙｐｅ−Ｃポートを介して無線画面キャスト装置にＤＰプロトコルフォーマットのメディアデータを直接送信する。該ＤＰ（ＤｉｓｐｌａｙＰｏｒｔ）の動作モードでは、処理装置は、特定のドライバをインストールする必要がなく、無線画面キャスト装置にオーディオ／ビデオデータを含むメディアコンテンツを送信することができるため、ドライバの無線画面キャスト装置から処理装置への伝送時間を節約し、処理装置でのドライバのインストール時間を節約し、会議の効率を向上させることができる。
【００５３】
また、本実施例では、処理装置は、ＤＰ（ＤｉｓｐｌａｙＰｏｒｔ）ポートを介してデータ伝送装置にオーディオ／ビデオデータを送信する。ＤＰ（ＤｉｓｐｌａｙＰｏｒｔ）ポートは、高いデータ帯域幅を有し、最大４０Ｇの帯域幅をサポートし、且つＤＰ（ＤｉｓｐｌａｙＰｏｒｔ）ポートは非圧縮データを送信し、Ｈ．２６４などの他の圧縮技術に比べて、ＤＰ（ＤｉｓｐｌａｙＰｏｒｔ）ポートにより伝送されるデータはより良い画質を持っている。
【００５４】
好ましくは、ＤＰプロトコルフォーマットのメディアデータをＭＩＰＩフォーマットのビデオデータ及び／又はＩ２Ｓフォーマットのオーディオデータに変換して、該ＭＩＰＩフォーマットのビデオデータ及び／又はＩ２Ｓフォーマットのオーディオデータを圧縮する場合、本実施例の態様では、データ処理装置にＤＰプロトコルを実行可能なデータ変換チップを設けることで実現してもよい。本発明の実施例では、データ処理装置が無線画面キャスト装置であることを一例にして説明する。該無線画面キャスト装置は、Ｔｙｐｅ−Ｃポート、無線モジュール、データ変換チップ、及びマイクロプロセッサを含む。該Ｔｙｐｅ−Ｃポートは該データ変換チップに接続され、該データ変換チップは該Ｔｙｐｅ−Ｃポート及び該マイクロプロセッサにそれぞれ接続され、該マイクロプロセッサは該無線モジュールに接続されている。具体的な実現方法は以下の通りである。
【００５５】
（１）Ｔｙｐｅ−Ｃポートと端末装置のＴｙｐｅ−Ｃ受信ポートとの接続により、電源をオンにする。
【００５６】
具体的には、無線画面キャスト装置のＴｙｐｅ−Ｃポート２１がユーザの処理装置の対応するＴｙｐｅ−Ｃ受信ポートに挿入されている場合、該処理装置はＴｙｐｅ−Ｃ受信ポートの電源ピンを介してデータ伝送装置に基本動作電圧を提供し、データ伝送装置は基本電圧の供給で動作を開始する。なお、該Ｔｙｐｅ−Ｃ受信ポートはＵＳＢ−Ｔｙｐｅ−Ｃポートであってもよく、該動作電圧は５Ｖ又は他の電圧であってもよい。具体的には、本発明の実施例では、Ｔｙｐｅ−Ｃポートは、図３に示すピンを有するハードウェアのポートであってもよい。特に、電力ピンＡ９、Ｂ４、Ｂ９、Ａ４を介してデータ伝送装置に給電してもよい。なお、上記の接続は、直接接続であってもよいし、間接接続であってもよいが、本実施例は接続方式に限定されない。
【００５７】
（２）無線画面キャスト装置のデータ変換チップは、Ｔｙｐｅ−Ｃポートのペアリング通信ピンを介して端末装置に要求信号を送信する。該要求信号は、端末装置が該少なくとも１対の差動信号伝送ピンにＤＰプロトコルフォーマットのメディアデータを送信するように要求するために用いられる。
【００５８】
具体的には、データ伝送装置がオンにされた後に、処理装置はＵＳＢ−Ｔｙｐｅ−ＣポートのＣＣピンを介してデータ伝送装置に問い合わせデータパケットを送信する。該問い合わせデータパケットは、ＶＤＭ（Ｖｅｎｄｏｒ  Ｄｅｆｉｎｅｄ  Ｍｅｓｓａｇｅ）信号である。データ伝送装置は、該ＶＤＭ信号を受信した後に、そのＴｙｐｅ−Ｃポート２１におけるＣＣピンを介して処理装置に応答情報を送信する。応答情報は、該データ伝送装置の現在の動作モード又はサポートされている動作モードがＤＰ（ＤｉｓｐｌａｙＰｏｒｔ）モードである旨の情報を含む。該応答情報は、該データ伝送装置の具体的な電力供給範囲などの情報を含んでもよい。処理装置は、データ伝送装置から送信された応答情報を受信した後、電力供給範囲情報に基づいて、データ伝送装置への電力供給電圧を調整する。また、処理装置は、データ伝送装置の現在の動作モード又はサポートされている動作モードがＤＰ（ＤｉｓｐｌａｙＰｏｒｔ）モードであると認識した場合、処理装置のＵＳＢ−Ｔｙｐｅ−ＣポートをＤＰ（ＤｉｓｐｌａｙＰｏｒｔ）モードで動作するように設定し、処理装置のオペレーティングシステムに予めインストールされたＤＰ（ＤｉｓｐｌａｙＰｏｒｔ）ドライバを呼び出し、処理装置のＵＳＢ−Ｔｙｐｅ−Ｃポートの差動ピンのペアを介してデータ伝送装置にオーディオ及びビデオを含むメディアコンテンツを伝送する。該コンテンツは、ＤＰプロトコルフォーマットのメディアデータであってもよく、該メディアデータは、処理装置のディスプレイに表示されるコンテンツを含むが、これに限定されない。
【００５９】
（３）無線画面キャスト装置のデータ変換チップは、差動信号伝送ピンを介してＤＰプロトコルフォーマットのメディアデータを受信する。ここで、メディアデータは、処理装置からのビデオデータ又はオーディオデータのうちの少なくとも１つを含む。
【００６０】
（４）所定の符号化スキームに従って、無線画面キャスト装置のデータ変換チップは、メディアデータを第１フォーマットデータに変換する。
【００６１】
具体的には、無線画面キャスト装置のデータ変換チップは、ＤＰプロトコルフォーマットのメディアデータをＭＩＰＩフォーマットのビデオデータ及び／又はＩ２Ｓフォーマットのオーディオデータに変換する。
【００６２】
（５）無線画面キャスト装置のデータ変換チップは、ＭＩＰＩフォーマットのビデオデータ及び／又はＩ２Ｓフォーマットのオーディオデータを無線画面キャスト装置のマイクロプロセッサに送信する。
【００６３】
（６）無線画面キャスト装置のマイクロプロセッサは、ユーザにより出力された画面キャスト指令を受信した場合、ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮することを開始する。そうでない場合、該ＭＩＰＩフォーマットのビデオデータ及び／又はＩ２Ｓフォーマットのオーディオデータを破棄する。具体的には、無線画面キャスト装置のマイクロプロセッサは、無線画面キャスト装置の画面キャストボタンにより画面キャスト指令を受信してもよい。無線画面キャスト装置の画面キャストボタンは、無線画面キャスト装置の上面又は側面に設けられたハードウェアのボタンであってもよい。また、無線画面キャスト装置の画面キャストボタンは、プログラムにより実現され、無線画面キャスト装置のディスプレイの画面又は処理装置のディスプレイの画面に設けられたソフトウェアのボタンであってもよい。ユーザは、該ソフトウェアのボタンをクリックすることで、ＭＩＰＩフォーマットのビデオデータ及び／又はＩ２Ｓフォーマットのオーディオデータの圧縮及び符号化を開始してもよい。
【００６４】
（７）該圧縮されたメディアデータストリームを通信ネットワークを介して送信する。
【００６５】
具体的には、圧縮されたＨ．２６４／Ｈ．２６５フォーマットのデータ及び／又はＡＡＣフォーマットのデータは、無線ネットワークを介して表示のための大画面表示装置に送信されてもよい。好ましくは、該無線ネットワークは、Ｗｉ−Ｆｉネットワーク、３Ｇ／４Ｇ／５Ｇ通信ネットワーク、又はデータ伝送機能を有する他のネットワークであってもよい。本実施例は、無線ネットワークのタイプに限定されない。
【００６６】
（８）大画面表示装置からのタッチ信号を受信し、該タッチ信号を処理装置に送信する。
【００６７】
具体的には、会議のシナリオでは、大画面表示装置はタッチ機能を備えており、ユーザのタッチ操作をリアルタイムで受け付けることができる。大画面表示装置は、該タッチ操作をタッチ信号に変換し、該タッチ信号を無線ネットワークを介してデータ伝送装置に送信する。データ伝送装置は、該タッチ信号を処理装置に送信し、処理装置は、該タッチ信号に応答し、或いはタッチ信号に基づいて対応するアプリケーションプログラムを開始することで、タッチバック機能を実現し、人間とコンピュータとのインタラクションのエクスペリエンスを向上させることができる。
【００６８】
本発明の実施例では、処理装置のオペレーティングシステム自体がＤＰ（ＤｉｓｐｌａｙＰｏｒｔ）ポートを介するオーディオ／ビデオデータの伝送をサポートしているため、無線画面キャスト装置を再設計することで、無線画面キャスト装置は自分のＴｙｐｅ−Ｃポートと処理装置のＴｙｐｅ−Ｃポートとの接続を用い、処理装置はＴｙｐｅ−Ｃポートを介して無線画面キャスト装置にＤＰプロトコルフォーマットのメディアデータを直接送信する。該ＤＰ（ＤｉｓｐｌａｙＰｏｒｔ）の動作モードでは、処理装置は、特定のドライバをインストールする必要がなく、無線画面キャスト装置にオーディオ／ビデオデータを含むメディアコンテンツを送信することができるため、ドライバの無線画面キャスト装置から処理装置への伝送時間を節約し、処理装置でのドライバのインストール時間を節約し、会議の効率を向上させることができる。
【００６９】
また、本実施例では、処理装置は、ＤＰ（ＤｉｓｐｌａｙＰｏｒｔ）ポートを介してデータ伝送装置にオーディオ／ビデオデータを送信する。ＤＰ（ＤｉｓｐｌａｙＰｏｒｔ）ポートは、高いデータ帯域幅を有し、最大４０Ｇの帯域幅をサポートし、且つＤＰ（ＤｉｓｐｌａｙＰｏｒｔ）ポートは非圧縮データを送信し、Ｈ．２６４などの他の圧縮技術に比べて、ＤＰ（ＤｉｓｐｌａｙＰｏｒｔ）ポートにより伝送されるデータはより良い画質を持っている。
【００７０】
Ｔｙｐｅ−Ｃポート２１は、図３に示す電源信号伝送ピンＶＢＵＳ（Ａ９、Ｂ４、Ｂ９、Ａ４）をさらに有するため、電源接続のためのポートを追加する必要がなく、処理装置の電源信号を取得し、周辺装置のマイクロプロセッサ２４などの給電必要な部材に電力を提供することができる。さらに、Ｔｙｐｅ−Ｃポート２１は、図３に示すＵＳＢ２．０データ伝送ピンＤ＋及びＤ−をさらに有し、この２つのピンを用いて他のデータを伝送してもよい。よって、本実施例の周辺装置は、Ｔｙｐｅ−Ｃポート２１を有し、Ｔｙｐｅ−Ｃポート２１の差動信号伝送ピンを画面データ受信ポートとして使用することで、周辺装置の機能を多様化することができるという利点を有する。データ伝送装置は、第１変換ＩＣ２３、即ち第１データ変換チップをさらに含む。該第１データ変換チップは、ユーザの処理装置から受信されたＤＰ（Ｄｉｓｐｌａｙｐｏｒｔ）プロトコルに対応するデータパケットのメディアコンテンツをマイクロプロセッサ２４に適するデータフォーマットに変換する。具体的には、第１データ変換チップは、メディアコンテンツのビデオ部分をＭＩＰＩフォーマットのデータに変換し、メディアコンテンツのオーディオ部分をＩ２Ｓフォーマットのデータに変換してもよく、この２つのデータは第１フォーマットデータと称される。ＭＩＰＩビデオデータは、ＹＵＶフォーマットで表現された画素を含む画像フレームのシーケンスを含んでもよい。Ｉ２Ｓオーディオ信号は、パルス符号変調（ＰＣＭ）フォーマットで表現されてもよい。第１データ変換チップによるフォーマット変換の後に、マイクロプロセッサに２つのフォーマットされたメディアデータを提供することができる。１つの具体的な実施例では、マイクロプロセッサ２４は、ハードウェアのプロセッサ（例えばＡＲＭプロセッサ）である。マイクロプロセッサ２４は、プログラム可能なビデオ／オーディオエンコーダによりビデオデータ及びオーディオデータを圧縮してもよい。該マイクロプロセッサ２４は、ビデオ圧縮標準（例えばＨ．２６４、Ｈ．２６５など）に従ってＭＩＰＩビデオデータを符号化し、オーディオ圧縮標準（例えばＯＰＵＳオーディオ符号化／復号標準、ＭＰ３標準、又はＡＡＣ）に従ってＩ２Ｓオーディオデータを符号化してもよい。この２つのデータは第２フォーマットと称される。
【００７１】
マイクロプロセッサ２４は、符号化されたビデオデータ及びオーディオデータを無線モジュール１２に送信し、無線モジュール１２は、具体的には第１無線送信機／受信機である。無線モジュール１２は、無線ネットワークを介して、符号化圧縮されたビデオデータ及びオーディオデータを、データ伝送装置とペアリングされた大画面ディスプレイ又は大画面タッチディスプレイの第２無線送受信機に送信してもよい。無線モジュール１２は、無線ネットワークとペアリングされた無線ネットワークカードを含んでもよく、該無線ネットワークカードは、大画面タッチスパネルに接続された第２無線送信機／受信機と通信を行う。これによって、ユーザは、処理装置でネットワーク構成を実行する必要がない。大画面ディスプレイ又は大画面タッチディスプレイに対応するプロセッサはデコーダプログラムを実行してもよく、該プログラムは、圧縮ビデオデータ及び圧縮オーディオデータをディスプレイでの表示に適するフォーマットに変換でき、大画面ディスプレイ又は大画面タッチディスプレイはユーザの処理装置と同一のメディアコンテンツを表示できる。これによって、ユーザは、処理装置に専用のプログラムをアップロード又はインストールする必要がなく、処理装置上のメディアコンテンツを大画面ディスプレイ又は大画面タッチディスプレイのタッチパネルに安全に共有することができる。ユーザは、共有プロセスを行う際に、データ伝送装置を処理装置のＵＳＢ−Ｔｙｐｅ−Ｃポートに挿入するだけで済む。
【００７２】
具体的には、本実施例では、マイクロプロセッサ２４に接続、ペアリングされるトリガ装置をさらに含む。ユーザは、該トリガ装置を制御することで、マイクロプロセッサ２４及び無線モジュール１２の動作状態を制御し、共有に自由に参加し、或いは終了することができる。例えば、ユーザがトリガ装置を介して画面キャストを開始するように指示するための第１ユーザ操作を生成する場合、マイクロプロセッサ２４は、トリガ装置のトリガに応答し、ビデオデータ及びオーディオデータの圧縮及び符号化を開始し、無線モジュール１２を介して該データを大画面ディスプレイ又は大画面タッチディスプレイに送信する。或いは、ユーザがトリガ装置を介した画面キャストの停止を指示するための第２ユーザ操作を生成する場合、マイクロプロセッサ２４は、トリガ装置の他のトリガに応答して、ビデオデータ及びオーディオデータの圧縮及び符号化を停止し、無線モジュール１２を介する大画面ディスプレイ又は大画面タッチディスプレイへの送信を停止し、第１データ変換チップから受信されたビデオデータ及びオーディオデータを破棄する。具体的には、トリガ装置は、物理的なハードウェアであってもよいし、仮想のキーであってもよく、データ伝送装置と一体に設けられてもよいし、データ伝送装置とは別に設けられてもよく、例えば、データ伝送装置とペアリングされた赤外線リモコンであってもよい。
【００７３】
本実施例では、具体的な実現プロセスは以下の通りである。
【００７４】
１００：データ伝送装置のＴｙｐｅ−Ｃポート２１とユーザの処理装置（例えばパーソナルコンピュータ又はスマートフォン、ユーザの端末装置又は端末装置とも称される）のＵＳＢ−Ｔｙｐｅ−Ｃポートとの接続により、データ伝送装置の挿入に応じて、処理装置は、ＵＳＢ−Ｔｙｐｅ−Ｃポートの電源ピンを介してデータ伝送装置に基本的な動作電圧を提供し、データ伝送装置の第１データ変換チップ及びマイクロプロセッサは、基本的な動作電圧の駆動でオンにして動作する。処理装置のＵＳＢ−Ｔｙｐｅ−Ｃポートの構成ピン（ＣＣピン）とデータ伝送装置のＴｙｐｅ−Ｃポート２１のＣＣピン（詳細は図３のＡ５を参照）とは互いに電気的に接続されている。
【００７５】
２００：処理装置は、ＵＳＢ−Ｔｙｐｅ−ＣポートのＣＣピンを介してデータ伝送装置に問い合わせデータパケットを送信する。問い合わせデータパケットはＶＤＭ信号であってもよい。
【００７６】
３００：データ伝送装置は、ＶＤＭ信号を受信した後に、そのＴｙｐｅ−Ｃポート２１のＣＣピンを介して処理装置に応答情報を送信する。応答情報は、データ伝送装置の動作モードがＤＰ（ＤｉｓｐｌａｙＰｏｒｔ）モードである旨の情報、データ伝送装置の具体的な動作電圧範囲などの情報を含む。
【００７７】
４００：処理装置は、応答情報に基づいてＵＳＢ−Ｔｙｐｅ−Ｃポートの動作モードを調整する。具体的には、以下のステップを含む。
【００７８】
処理装置は、データ伝送装置の動作電圧範囲に基づいて、ＵＳＢ−Ｔｙｐｅ−Ｃポートと互いにペアリングされたＴｙｐｅ−Ｃポート２１の電源ピン（詳細は図３のＡ９、Ｂ４、Ｂ９、Ａ４を参照）を介してデータ伝送装置の動作電圧を調整する。
【００７９】
処理装置は、オペレーティングシステムに予めインストールされたＤＰ（ＤｉｓｐｌａｙＰｏｒｔ）ドライバを呼び出し、表示メモリからビデオデータ及びオーディオデータを含むメディアコンテンツを取得し、ＤＰ（ＤｉｓｐｌａｙＰｏｒｔ）プロトコルに従ってパッケージングを行い、ＵＳＢ−Ｔｙｐｅ−Ｃポートの差動ピンを介してＴｙｐｅ−Ｃポート２１の差動ピンペアに送信する。具体的には、メディアコンテンツは、処理装置の画面に表示されるオーディオ／ビデオコンテンツを含むが、これに限定されない。
【００８０】
同時に、処理装置は、ＵＳＢ−Ｔｙｐｅ−Ｃポートの差動ピンがＤＰ（ＤｉｓｐｌａｙＰｏｒｔ）モードで動作するように調整する。本実施例では、Ｔｙｐｅ−Ｃポート２１の４対の差動ピンは、図３におけるＡ１１、Ｂ２、Ａ１０、Ｂ３、Ａ４、Ｂ１０、Ａ２、Ｂ１１であり、全てＤＰ（ＤｉｓｐｌａｙＰｏｒｔ）モードで動作し、ＤＰ（ＤｉｓｐｌａｙＰｏｒｔ）プロトコルに従って表示信号を出力する。４対の差動ピンは同時に動作し、より良い伝送帯域幅を有する。或いは、伝送帯域幅の要件を満たすことを前提に、１対、２対又は３対の差動ピンを用いて送信を行い、具体的な動作条件に応じて対応する調整を行う。
【００８１】
５００：データ伝送装置の第１データ変換チップは、Ｔｙｐｅ−Ｃポート２１の４対の差動ピン（詳細は図３のＡ１１、Ｂ２、Ａ１０、Ｂ３、Ａ４、Ｂ１０、Ａ２、Ｂ１１を参照）を介して、処理装置からのＤＰ（ＤｉｓｐｌａｙＰｏｒｔ）プロトコルフォーマットのメディアコンテンツのデータパケットを受信する。第１データ変換チップは、メディアコンテンツのビデオ部分をＭＩＰＩフォーマットのデータに変換し、メディアコンテンツのオーディオ部分をＩ２Ｓフォーマットのデータに変換し、変換後のデータをマイクロプロセッサ２４に送信してもよい。
【００８２】
６００：データ伝送装置のマイクロプロセッサ２４は、トリガ装置からの画面キャストのトリガ信号を受信する。マイクロプロセッサ２４は、ビデオ圧縮標準（例えばＨ．２６４、Ｈ．２６５など）に従ってＭＩＰＩビデオデータを符号化し、オーディオ圧縮標準（ＯＰＵＳオーディオ符号化／復号標準又はＭＰ３標準、ＡＡＣなど）に従ってＩ２Ｓオーディオデータを符号化し、圧縮符号化されたビデオデータ及びオーディオデータを無線モジュール１２を介してペアリングされた大画面ディスプレイ又は大画面タッチディスプレイに送信する。本実施例では、無線モジュール１２は、ＷｉＦｉプロトコルを使用して大画面ディスプレイ画面又は大画面タッチディスプレイとの通信を行う。
【００８３】
７００：大画面ディスプレイ又は大画面タッチディスプレイは、無線モジュール１２とペアリングされた第２無線送信機／受信機を介して圧縮符号化されたメディアコンテンツを受信し、復号及び再生を行う。
【００８４】
８００：データ伝送装置のマイクロプロセッサ２４は、トリガ装置からの画面キャストの停止信号を受信し、マイクロプロセッサ２４は、ビデオデータ及びオーディオデータに対する圧縮及び符号化を停止し、無線モジュール１２を介する大画面ディスプレイ又は大画面タッチディスプレイへの送信を停止する。マイクロプロセッサ２４は、第１データ変換チップから受信されたビデオデータ及びオーディオデータに対して破棄処理を行う。
【００８５】
上記の態様をベースにして、本発明の実施例では、好ましい改良態様をさらに提供する。周辺装置のマイクロプロセッサ２４は、第１データ入力ポート、第２データ入力ポート、及び無線モジュール接続ポートを含む。ここで、入力ポートは差動信号送信ピンに接続され、無線モジュール接続ポートは無線モジュール１２に接続される。Ｔｙｐｅ−Ｃポート２１に含まれるＵＳＢ２．０データ伝送ピンは、処理装置の対応するピンに接続されるために用いられる。対応するピンとは、互いにマッチングして接続でき、且つ同一の機能を有するポートピンを意味する。処理装置におけるＵＳＢ２．０ポート、ＵＳＢ３．０ポート及びＴｙｐｅ−Ｃ受信ポートは、何れも周辺装置のＴｙｐｅ−Ｃポート２１のＵＳＢ２．０データ伝送ピンに対応するＵＳＢ２．０データ伝送ピンＤ＋及びＤ−を有する。Ｔｙｐｅ−Ｃポート２１のＵＳＢ２．０データ伝送ピンは、ポート変換器に直接挿入又は接続されることで、処理装置の対応するピンに接続してもよい。
【００８６】
第２データ入力ポートは、Ｔｙｐｅ−Ｃポート２１のＵＳＢ２．０データ伝送ピンに接続されている。即ち、該改良態様では、マイクロプロセッサ２４はポートの拡張としても機能し、Ｔｙｐｅ−Ｃポート２１の差動信号伝送ピンと無線モジュール１２との間の接続経路、及びＴｙｐｅ−Ｃポート２１のＵＳＢ２．０データ伝送ピンと無線モジュール１２との間の接続経路を確立する。周辺装置のＴｙｐｅ−Ｃポート２１が処理装置のＴｙｐｅ−Ｃポートに挿入されると、差動信号送信ピン及びＵＳＢ２．０データ伝送ピンとプロセッサの対応するピンとが接続され、ビデオデータだけでなく、ＵＳＢ２．０に符号化された他のデータを送信することができる。例えば、特定の文書、写真、アプリケーションプログラム、人間とコンピュータとのインタラクションの制御データなどを送信することで、周辺装置の機能をさらに充実させることができる。
【００８７】
上記態様をベースにして、本実施例では、好ましい改良態様をさらに提供する。無線モジュール１２は、無線通信ネットワークにおけるペアリングされたネットワークノードから送信された画面制御信号をさらに受信する。マイクロプロセッサ２４は、無線モジュール接続ポートにより入力された無線モジュール１２からの信号をＨＩＤ装置出力信号にパッケージングし、即ちＨＩＤ装置（Ｈｕｍａｎ  Ｉｎｔｅｒｆａｃｅ  Ｄｅｖｉｃｅ：ヒューマン・インターフェイス・デバイス）により出力された信号としてシミュレートし、該第２データ入力ポートから該ＨＩＤ装置出力信号を出力する。この場合、該ＨＩＤ装置出力信号は、Ｔｙｐｅ−Ｃポート２１のＵＳＢ２．０データ伝送ピン及び処理装置の対応するピンを介して処理装置に伝送される。
【００８８】
該改良態様では、マイクロプロセッサ２４を介するＴｙｐｅ−Ｃポート２１のＵＳＢ２．０データ伝送ピンへの無線モジュール１２の送信経路は、画面制御信号を送信するために使用される。会議のシナリオでは、大画面タブレットの画面制御信号は信号源に返されるため、特に重要な機能として、信号源は該画面制御信号に基づいてスクリーン画面を調整する。本実施例では、Ｔｙｐｅ−Ｃポート２１の様々な機能ピンを用いることで、画面キャスト及び画面制御信号の返送を実現すると共に、周辺装置が会議シーンに適用される場合、人々は大画面タブレットでパーソナルコンピュータを制御することができ、大画面タブレットでコンテンツを表示する際により自由に操作することができ、会議の効率を向上させることができる。また、該改良態様では、マイクロプロセッサ２４は、無線モジュール１２により送信された画面制御信号をＨＩＤ装置出力信号としてパッケージングし、即ち、マイクロプロセッサ２４は、ＨＩＤ装置（例えばキーボード）としてシミュレートし、処理装置はＨＩＤ装置出力信号を直接処理できるため、ドライバで画面制御信号を解析する必要がなく、画面制御信号の返送制御の効率を向上させることができる。
【００８９】
上記態様をベースにして、本実施例では、好ましい改良態様をさらに提供する。周辺装置はメモリ２５をさらに含む。メモリ２５は、実行可能なプログラムを記憶する。実行可能なプログラムは、処理装置にダウンロードされた後に、処理装置の第１プロセッサにより実行される。該第１プロセッサは、現在第１プロセッサにより第１ディスプレイに出力された第２オーディオ／ビデオデータをＵＳＢ２．０データに圧縮し、処理装置の対応するピンから該ＵＳＢ２．０データを出力する。言い換えれば、該実行可能なプログラムが処理装置によりダウンロードされた後に、オーディオ／ビデオデータは、マイクロプロセッサ２４を介して無線モジュール１２へのＵＳＢ２．０データ伝送ピンの伝送経路を介して伝送されてもよい。
【００９０】
該実行可能なプログラムは、周辺装置のメモリ２５に記憶されているため、使用時に該実行可能なプログラムを容易に入手することができる。具体的には、マイクロプロセッサ２４は、トリガされた場合にメモリ２５から実行可能なプログラムを取得し、第２データ入力ポートから該実行可能なプログラムを出力する。この場合、該実行可能なプログラムはＴｙｐｅ−Ｃポート２１のＵＳＢ２．０伝送ピンを介して処理装置に伝送されてもよい。マイクロプロセッサ２４は、該第２データ入力ポートにより受信されたＵＳＢ２．０データを符号化して第３オーディオ／ビデオデータを取得し、該無線モジュール接続ポートから該第３オーディオ／ビデオデータを出力する。この場合、無線モジュール１２は、第３オーディオ／ビデオデータを受信し、無線モジュール１２は、受信された第３オーディオ／ビデオデータを無線通信ネットワークにおけるペアリングされたネットワークノードに送信する。
【００９１】
なお、処理装置のＴｙｐｅ−Ｃ受信ポートのＵＳＢ２．０データ伝送ピンに対応するピンは、Ｔｙｐｅ−Ｃソケットにおけるピンであってもよいし、ＵＳＢ２．０ソケット又はＵＳＢ３．０ソケットにおけるピンであってもよい。処理装置がＴｙｐｅ−Ｃポートを有する場合、周辺装置は、Ｔｙｐｅ−Ｃポート２１を該ソケットに直接挿入し、差動信号送信ピンを使用してＤＰビデオデータを送信してもよく、周辺装置と処理装置とのＵＳＢ２．０データ伝送ピンが対応して接続されることで、他のデータを送信してもよい。処理装置がＴｙｐｅ−Ｃポートを有せず、ＵＳＢ２．０ソケット又はＵＳＢ３．０ソケットのみを有する場合、周辺装置のＴｙｐｅ−Ｃポート２１にＴｙｐｅ−ＣソケットとＵＳＢ２．０プラグ又はＵＳＢ３．０プラグとの変換用の変換器のみを接続すればよい。この場合、周辺装置を処理装置の対応するソケットに差し込んでもよく、処理装置は該プログラムをダウンロードし、第１ディスプレイに現在出力された第２オーディオ／ビデオデータをＵＳＢ２．０データに圧縮して出力し、ＵＳＢ２．０データ伝送ピンを介して周辺装置に出力してもよい。周辺装置の互換性を向上させることができる。
【００９２】
好ましくは、メモリ２５はフラッシュメモリ（ｆｌａｓｈ  ｍｅｍｏｒｙ）であり、フラッシュメモリは不揮発性（Ｎｏｎ−Ｖｏｌａｔｉｌｅ）のメモリであり、電流を供給しなくても長期間データを保持でき、その記憶特性はハードディスクと同等であるため、周辺装置の長期保存に最適なあらゆる携帯デジタル機器の記録媒体となっている。
【００９３】
上記態様をベースにして、本実施例では、好ましい改良態様をさらに提供する。Ｔｙｐｅ−Ｃポート２１は、図３に示す電力信号送信ピンＶＢＵＳをさらに含む。マイクロプロセッサ２４は、電力を取得するための給電ポートをさらに含む。電源信号伝送ピンＶＢＵＳは、処理装置の給電出力ピンに接続される。Ｔｙｐｅ−Ｃポート２１の電源信号伝送ピンＶＢＵＳは、マイクロプロセッサ２４の給電ポートに接続されてもよい。即ち、処理装置は、周辺装置のマイクロプロセッサ２４に電力を供給することで、周辺装置に電源を設ける必要がなく、周辺装置の体積を減らし、周辺装置の使用の利便性を向上させることができる。
【００９４】
さらに、マイクロプロセッサ２４は、複数の電源ポートを有する。図２に示すように、周辺装置は、入力された単一の電源信号を異なる電圧値を有する複数の電源信号に変換して出力するための電源管理モジュール２７をさらに含む。電源管理モジュール、即ちＰＭＵ（ｐｏｗｅｒ  ｍａｎａｇｅｍｅｎｔ  ｕｎｉｔ：パワー・マネージメント・ユニット）は、ポータブルアプリケーション向けの高度に統合されたパワーマネージメントソリューションであり、従来の個別のパワーマネージメントデバイスを１つのパッケージに統合することで、より高いパワー変換効率、より低い消費電力を実現することができ、構成部材の個数を削減することで、ボードスペースの削減に対応することができる。電源管理モジュール２７は、電源信号伝送ピンとマイクロプロセッサ２４の電力供給ポートとの間に接続され、ここで、電源管理モジュール２７の入力端子は電源信号伝送ピンに接続され、電源管理モジュール２７の複数の出力端子はマイクロプロセッサ２４の複数の給電ポートに１対１の対応でそれぞれ接続される。マイクロプロセッサ２４は、さまざまな機能プログラムを実行できるため、異なる機能プログラムに対応する電源投入のタイミング及び電源要求が異なり、電源管理モジュール２７を設けることで、異なる電圧値を出力し、出力タイミングを制御し、プロセッサ２４の多様なニーズを満たすことができる。例えば、図２に示すように、電源管理モジュール２７は、１．５Ｖ、１．８Ｖ、３．３Ｖ、又は１Ｖの電圧を出力する。
【００９５】
上記態様をベースにして、本実施例では、好ましい改良態様をさらに提供する。周辺装置は、入力されたＤＰビデオデータをＭＩＰＩビデオデータに変換して出力するための第１変換ＩＣ２３をさらに含む。第１変換ＩＣ２３は、差動信号伝送ピンとマイクロプロセッサ２４の第１データ入力ポートとの間に接続される。ここで、第１変換ＩＣ２３の入力端子は差動信号伝送ピンに接続され、第１変換ＩＣ２３の出力端子はマイクロプロセッサ２４の第１データ入力ポートに接続される。ビデオデータを送信するための市場で利用可能なマイクロプロセッサのタイプが少なく、サポートされているポートのタイプが少ないため、ＭＩＰＩポートは広く使用されているマイクロプロセッサポートの１つであり、ＤＰビデオデータをＭＩＰＩビデオに変換するデータ変換ＩＣも比較的広く使用されているため、第１データ入力ポートはＭＩＰＩポートであり、第１変換ＩＣ２３はＤＰビデオデータをＭＩＰＩビデオデータに変換してマイクロプロセッサ２４に出力する。これにより、当業者が本発明を容易に実施することができ、実用性を向上させることができる。
【００９６】
通常、第１変換ＩＣ２３に給電する必要があり、エネルギの消費量を節約するために、周辺装置は、給電モジュール２６をさらに含み、該給電モジュール２６は、ＤＣ−ＤＣ（直流−直流）回路及び／又はＬＤＯ（低ドロップアウトレギュレータ）回路を含んでもよい。給電モジュール２６の入力端はＴｙｐｅ−Ｃポート２１の電源信号送信ピンに接続され、出力端は第１変換ＩＣ２３の給電ポートに接続されている。
【００９７】
好ましくは、マイクロプロセッサ２４により圧縮符号化された第１オーディオ／ビデオデータは、Ｈ２６４オーディオ／ビデオデータ、Ｈ２６５オーディオ／ビデオデータ、又はＭＰＥＧオーディオ／ビデオデータである。
【００９８】
上述したように、ビデオデータを送信するための現在市場で利用可能なマイクロプロセッサのタイプは少ないため、本実施例では、好ましくは、ネットワークカメラ（ＩＰ  Ｃａｍｅｒａ）プロセッサをマイクロプロセッサ２４として用いる。ネットワークカメラプロセッサは、通信ネットワークでビデオデータを送信するためのより成熟したマイクロプロセッサであり、圧縮符号化の機能を実現することができ、Ｗｅｂベースのオペレーティングシステムを内蔵することで、ビデオデータをネットワークを介してエンドユーザに送信することができる。
【００９９】
好ましくは、該無線モジュールはＷｉＦｉモジュールである。ＷｉＦｉはローカルエリアネットワークを構築するための一般的な方法である。ＷｉＦｉモジュールを使用することで、周辺装置の使いやすさを向上させることができる。
【０１００】
さらに、マイクロプロセッサ２４は、ＷｉＦｉモジュールのペアリング管理を実施するための第２オペレーティングシステムをさらに提供する。
【０１０１】
図４は本発明の実施例に係る周辺装置のもう１つの態様の構成の概略図である。
【０１０２】
この態様では、上記態様における第１変換ＩＣを第２変換ＩＣ２８及び第３変換ＩＣ２９に置き換える。ここで、第２変換ＩＣ２８は、入力されたＤＰビデオデータをＨＤＭＩ（登録商標）ビデオデータに変換して出力する、第３変換ＩＣ２９は、入力されたＨＤＭＩ（登録商標）ビデオデータをＢＴ１１２０データ又はＢＴ６５６データに変換して出力する。第２変換ＩＣ２８及び第３変換ＩＣ２９は、差動信号伝送ピンとマイクロプロセッサ２４の第１データ入力ポートとの間に接続される。ここで、第２の変換ＩＣ２８の入力端子は、差動信号伝送ピンに接続され、第２変換ＩＣ２８の出力端子は、第３変換ＩＣ２９の入力端子に接続され、第３変換ＩＣ２９の出力端子は、マイクロプロセッサ２４の第１データ入力ポートに接続されている。第２変換ＩＣ２８及び第３の変換ＩＣ２９も比較的広く使用されているため、図４の実施形態は、周辺装置の使いやすさを向上させる他の態様を提供する。
【０１０３】
好ましくは、図４に示す周辺装置の概略図は、給電モジュール２６、電源管理モジュール２７又はフラッシュメモリ２５をさらに含む。対応する接続構造及び機能について、図２に対応する態様の上記説明を参照してもよい。
【０１０４】
以上のことから、本発明の実施例の態様では、周辺装置は、処理装置の画面データを直接取得できる画面データ受信ポートを含み、画面データを無線通信ネットワークに送信できる無線モジュールを含む。周辺装置が処理装置に挿入されると、周辺装置は、処理装置によりディスプレイに出力された画面データを自動的に取得して通信ネットワークに送信することで、ドライバをインストールすることなく、通信ネットワーク内の他のネットワークノードに画面をキャストして表示することができる。圧縮符号化されたデータをＵＳＢポートを介して無線モジュールに伝送する従来技術に比べると、本実施例の態様は、ドライバ無しで画面キャストを行い、画面キャスト前の準備時間を短縮し、処理装置のリソースを占有しないという効果がある。ドライバ無しでの画面キャストは、周辺装置の挿入、接続された処理装置を変更せずに画面キャストを行うことを意味する。多数人の会議では、ドライバをインストールして会議の参加者のパーソナルコンピュータを変更する必要がないため、画面キャストの効率を向上させると共に、会議の参加者のパーソナルコンピュータのセキュリティを確保することができる。また、本実施例の態様では、Ｔｙｐｅ−Ｃポートの差動信号送信ピンを画面データ受信ポートとして用いて、様々な好ましい改良態様を提供する。Ｔｙｐｅ−Ｃポートの複数の機能ピンを使用することで、互換性を向上させると共に、周辺装置の機能を充実させることができる。
【０１０５】
図５は本発明の実施例に係る会議ツールの１つの態様の構成の概略図である。本実施例に係る会議ツールは、表示装置ノード５３、第２ディスプレイ５４、及び少なくとも１つの周辺装置５１を含む。周辺装置５１は、少なくとも画面データ受信ポート５１１及び無線モジュール５１２を含む。
【０１０６】
表示装置ノード５３は、第２ディスプレイ５４に接続される。表示装置ノード５３は、無線通信ネットワーク５２における周辺装置５１とペアリングし、周辺装置５１からオーディオ／ビデオデータを受信し、オーディオ／ビデオデータに対応するメディアコンテンツを表示するように第２ディスプレイ５４を制御する。
【０１０７】
ここで、オーディオ／ビデオデータは、上述した本発明の実施例の態様における処理装置及び周辺装置により送信、処理される第１オーディオ／ビデオデータ、第２オーディオ／ビデオデータ、又は第３オーディオ／ビデオデータであってもよい。
【０１０８】
本発明の実施例に係る周辺装置５１を含むため、図５に示す会議ツールは、対応する有利な効果を有する。
【０１０９】
さらに、図５に示すように、本発明の実施例に係る会議ツールは、ユーザがユーザ操作を実行することを可能にする入力装置をさらに含んでもよく、該ユーザ操作は、オーディオ／ビデオデータに対応するメディアコンテンツを第２ディスプレイに表示するようにトリガする。例えば、第２ディスプレイ５４は、会議用の大画面タブレットであり、入力装置は大画面タブレットに設けられたタッチパネルであり、ユーザは、タッチパネルでタッチ操作により大画面タブレットの表示信号源を切り替え、大画面タブレットで該表示装置ノード５３により受信された画面データに対応するメディアコンテンツを表示することができる。
【０１１０】
図６は本発明の実施例に係る会議ツールのもう１つの態様の構成の概略図である。会議ツールは、周辺装置５１及びポート変換器６１を含む。周辺装置５１は、Ｔｙｐｅ−Ｃプラグ５１１、マイクロプロセッサ（図示せず）、及び無線モジュール５１２を含む。ポート変換器６１は、Ｔｙｐｅ−Ｃソケット６２及びＵＳＢプラグ６３を含み、ＵＳＢプラグはＵＳＢ２．０プラグ又はＵＳＢ３．０プラグである。なお、ポート変換器６１は、Ｔｙｐｅ−Ｃソケット６２をＵＳＢプラグ６３に変換するために使用されるため、Ｔｙｐｅ−Ｃソケット６２とＵＳＢプラグ６３では、同一の機能のピンが互いにマッチングして接続される。
【０１１１】
周辺装置５１のＴｙｐｅ−Ｃプラグ５１１は、処理装置のＴｙｐｅ−Ｃソケット又はポート変換器６１のＴｙｐｅ−Ｃソケット６２に接続され、ポート変換器６１のＵＳＢプラグ６３は処理装置のＵＳＢソケットに接続され、該ＵＳＢソケットはＵＳＢ２．０ソケット又はＵＳＢ３．０ソケットである。
【０１１２】
マイクロプロセッサは、第１データ入力ポート、第２データ入力ポート、及び無線モジュール接続ポートを含む。周辺装置５１のＴｙｐｅ−Ｃプラグ５１１における差動信号送信ピンを使用して処理装置のＴｙｐｅ−Ｃソケットから出力された第１オーディオ／ビデオデータを取得する。通常、Ｔｙｐｅ−Ｃソケットから出力された第１オーディオ／ビデオデータはＤＰビデオデータである。マイクロプロセッサの第１データ入力ポートはＴｙｐｅ−Ｃプラグ５１１における差動信号伝送ピンに接続され、マイクロプロセッサは第１オーディオ／ビデオデータを圧縮し、出力用の無線モジュール接続ポートに伝送する。
【０１１３】
Ｔｙｐｅ−Ｃプラグ５１１におけるＵＳＢ２．０データ伝送ピンは、処理装置によりＴｙｐｅ−Ｃソケット又はＵＳＢソケットから出力されたＵＳＢ２．０データを取得する。マイクロプロセッサの第２データ入力ポートは、Ｔｙｐｅ−Ｃプラグ５１１におけるＵＳＢ２．０データ伝送ピンに接続される。マイクロプロセッサは、第２データ入力ポートにより受信されたＵＳＢ２．０データを符号化して第３オーディオ／ビデオデータを取得し、第３オーディオ／ビデオデータを無線モジュール接続ポートから出力する。
【０１１４】
無線モジュール接続ポートは、無線モジュール５１２に接続される。無線モジュール５１２は、無線通信ネットワークと通信を行い、マイクロプロセッサからの画面データを無線通信ネットワークにおけるペアリングされたネットワークノードに画面データを伝送する。即ち、無線モジュール５１２は、処理装置のＵＳＢソケットから出力されたＵＳＢ２．０データを符号化することで得られた第３オーディオ／ビデオデータを受信してもよいし、処理装置のＴｙｐｅ−Ｃポートから出力されてマイクロプロセッサにより圧縮符号化された第１オーディオ／ビデオデータを受信してもよく、該データを無線通信ネットワークに伝送する。処理装置にＴｙｐｅ−Ｃポートがある場合、第１オーディオ／ビデオデータに対してポートフォーマットの変換及び圧縮を行って無線通信ネットワークに送信する。処理装置にＴｙｐｅ−Ｃポートがない場合、ポート変換器６１の変換により、周辺装置におけるＵＳＢ２．０データ伝送ピンがＵＳＢ２．０データを取得し、予め設定された符号化／復号のルールに従って解析して第３オーディオ／ビデオデータを取得する。これによって、本実施例では、互換性の強い会議ツールを提供し、ＵＳＢソケット又はＴｙｐｅ−Ｃソケットを備えた処理装置の画面データを取得し、該データを無線通信ネットワークに送信し、無線通信ネットワークにおける会議用の大画面タブレットにより取得されることで、無線の画面キャストを実現することができる。
【０１１５】
さらに、会議ツールは、実行可能なプログラムを記憶するためのメモリをさらに含む。該実行可能なプログラムは、処理装置にダウンロードされた後、処理装置の第１プロセッサにより実行され、第１プロセッサは、現在第１プロセッサにより第１ディスプレイに出力された第２オーディオ／ビデオデータをＵＳＢ２．０データに圧縮し、該処理装置のＴｙｐｅ−Ｃソケット又はＵＳＢソケットから該ＵＳＢ２．０データを出力する。
【０１１６】
さらに、該メモリは該周辺装置５１に統合されている。該マイクロプロセッサは、トリガされた場合、該メモリから実行可能なプログラムを取得し、該第２データ入力ポートから該実行可能なプログラムを出力する。メモリは周辺装置５１に統合されることで、処理装置はプログラムを容易にダウンロードすることができるため、ＵＳＢソケットのみを有する処理装置の場合、その画面データを取得する準備時間を短縮することができ、無線画面キャストの速度を向上させることができる。
【０１１７】
さらに、無線モジュール５１２は、無線通信ネットワークにおけるペアリングされたネットワークノードにより送信された画面制御信号を受信する。マイクロプロセッサは、無線モジュール接続ポートにより入力された該無線モジュールからの信号はＨＩＤ装置出力信号にパッケージングし、該第２データ入力ポートからＨＩＤ装置出力信号を出力する。さらに、該態様は、会議用の大画面タブレットで画面制御信号の返送を実現することができるため、人々は会議用の大画面タブレットで処理装置の画面を制御し、制御された画面データを受信することができる。
【０１１８】
好ましい態様の１つとして、周辺装置５１は、入力されたＤＰビデオデータをＭＩＰＩビデオデータに変換して出力するための第１変換ＩＣをさらに含む。
【０１１９】
第１変換ＩＣは、該差動信号伝送ピンとマイクロプロセッサの第１データ入力ポートとの間に接続される。ここで、第１変換ＩＣの入力端子は、差動信号伝送ピンに接続され、第１変換ＩＣの出力端子は、マイクロプロセッサの第１データ入力ポートに接続されている。
【０１２０】
本発明の実施例に係る会議ツールは、本発明の任意の態様に係る周辺装置を含むため、対応する有利な効果を有する。さらに、本発明の実施例に係る会議ツールは、強い互換性を有する。
【０１２１】
図７は本発明の実施例に係る会議ツールシステムの１つの態様の構成の概略図である。該会議ツールシステムは、表示装置ノード５３、第２ディスプレイ５４、並びに上記の態様に係る周辺装置５１及びポート変換器６１を有する会議ツールを含む。周辺装置５１は、Ｔｙｐｅ−Ｃプラグ５１１、マイクロプロセッサ（図示せず）、及び無線モジュール５１２を含む。ポート変換器６１は、Ｔｙｐｅ−Ｃソケット６２及びＵＳＢプラグ６３を含み、ＵＳＢプラグ６３はＵＳＢ２．０プラグ又はＵＳＢ３．０プラグである。
【０１２２】
表示装置ノード５３は、第２ディスプレイ５４に接続されている。表示装置ノード５３は、無線通信ネットワーク５２における周辺装置５１とペアリングし、周辺装置５１からのオーディオ／ビデオデータを受信し、オーディオ／ビデオデータに対応するメディアコンテンツを表示するように第２ディスプレイ５４を制御する。
【０１２３】
本発明の実施例に係る会議ツールシステムは、本発明の任意の実施例に係る周辺装置及びポート変換器を有する会議ツールを含むため、対応する有利な効果を有する。
【０１２４】
なお、上述した各実施例の各技術的特徴を任意に組み合わせてもよく、簡潔に説明するために、上述した各実施例の各技術的特徴の全ての可能な組み合わせを説明していないが、これらの技術的特徴の組み合せに矛盾がない限り、これらの組み合わせは全て本明細書に記載された範囲に属する。
【０１２５】
以上、具体的な実施形態を参照しながら本発明を説明しているが、上記の説明は、例示的なものに過ぎず、本発明の特許の範囲を限定するものではない。なお、当業者にとって、本発明の趣旨を離脱しない限り、本発明に対して各種の変形及び改良を行ってもよく、これらの変形及び修正も本発明の範囲に属する。よって、本発明の特許の保護範囲は、添付する特許請求の範囲に依るものである。
【図１】
2022500883.tif 000003
【図２】
2022500883.tif 000004
【図３】
2022500883.tif 000005
【図４】
2022500883.tif 000006
【図５】
2022500883.tif 000007
【図６】
2022500883.tif 000008
【図７】
2022500883.tif 000009
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
Ｔｙｐｅ−Ｃポートと、無線モジュールと、第１データ変換チップと、マイクロプロセッサと、を含むデータ伝送装置であって、
前記第１データ変換チップは前記Ｔｙｐｅ−Ｃポート及びマイクロプロセッサに接続され、前記マイクロプロセッサは前記無線モジュールに接続され、
前記Ｔｙｐｅ−ＣポートはＤＰ（ＤｉｓｐｌａｙＰｏｒｔ）プロトコルフォーマットのメディアデータを受信し、前記メディアデータは端末装置に表示されるメディアコンテンツであり、
前記第１データ変換チップは、前記Ｔｙｐｅ−Ｃポートにより伝送されたＤＰプロトコルフォーマットのメディアデータを受信し、前記メディアデータを第１フォーマットデータに変換し、
前記マイクロプロセッサは、前記第１フォーマットデータを受信し、該第１フォーマットデータを第２フォーマットデータに圧縮符号化し、
前記無線モジュールは、前記第２フォーマットデータをデータ受信側に送信することを特徴とするデータ伝送装置。
【請求項２】
第１ユーザ操作を受け付けるトリガ装置、をさらに含み、前記第１ユーザ操作は、画面キャストのトリガ信号であり、
前記第１ユーザ操作は、前記マイクロプロセッサが第１フォーマットデータを第２フォーマットデータに変換し、且つ前記無線モジュールが第２フォーマットデータを送信するようにトリガすることを特徴とする請求項１に記載のデータ伝送装置。
【請求項３】
前記トリガ装置が第１ユーザ操作を受け付ける前に、前記マイクロプロセッサは、受信された前記第１フォーマットデータに対して破棄処理を行うことを特徴とする請求項２に記載のデータ伝送装置。
【請求項４】
前記Ｔｙｐｅ−Ｃポートは、ＤＰプロトコルフォーマットのメディアデータを受信する少なくとも１対の差動信号伝送ピンを含むことを特徴とする請求項１乃至３の何れかに記載のデータ伝送装置。
【請求項５】
前記Ｔｙｐｅ−Ｃポートは、少なくとも１対の差動信号伝送ピン、及び第１要求信号を送信するペアリング通信ピンを含み、
前記第１要求信号は、端末装置が前記少なくとも１対の差動信号伝送ピンにＤＰプロトコルフォーマットのメディアデータを送信するように要求するために用いられることを特徴とする請求項１乃至３の何れかに記載のデータ伝送装置。
【請求項６】
前記ペアリング通信ピンは、第２要求信号をさらに送信し、
前記第２要求信号は、端末装置が前記データ伝送装置の電力供給需要に応じて電力を供給するように要求するために用いられることを特徴とする請求項５に記載のデータ伝送装置。
【請求項７】
前記第１フォーマットデータは、ＭＩＰＩフォーマットのビデオデータ及び／又はＩ２Ｓフォーマットのオーディオデータを含むことを特徴とする請求項１乃至６の何れかに記載のデータ伝送装置。
【請求項８】
前記第２フォーマットデータは、Ｈ．２６４／Ｈ．２６５フォーマットのビデオデータ及び／又はＡＡＣフォーマットのオーディオデータを含むことを特徴とする請求項１乃至７の何れかに記載のデータ伝送装置。
【請求項９】
前記Ｔｙｐｅ−Ｃポートは、前記マイクロプロセッサに接続されるＵＳＢ２．０データ伝送ピンをさらに含むことを特徴とする請求項１乃至８の何れかに記載のデータ伝送装置。
【請求項１０】
前記無線モジュールは、通信ネットワークからタッチ信号を受信し、前記ＵＳＢ２．０データ伝送ピンを介して該タッチ信号を端末装置に送信することを特徴とする請求項９に記載のデータ伝送装置。
【請求項１１】
前記マイクロプロセッサは、前記無線モジュールにより通信ネットワークから受信されたタッチ信号をＨＩＤ（Ｈｕｍａｎ  Ｉｎｔｅｒｆａｃｅ  Ｄｅｖｉｃｅ）装置フォーマットの信号にパッケージングすることを特徴とする請求項１０に記載のデータ伝送装置。
【請求項１２】
前記マイクロプロセッサに電気的に接続されるメモリ、をさらに含み、
前記メモリには実行可能なプログラムが記憶され、前記実行可能なプログラムは端末装置にダウンロードされて実行され、前記実行可能なプログラムは、端末装置で実行される際に、端末装置がメディアコンテンツを取得し、且つ端末装置が取得されたメディアコンテンツをＵＳＢ２．０データに圧縮符号化するようにトリガし、
前記マイクロプロセッサは、トリガされた場合、前記メモリから前記実行可能なプログラムを取得し、前記実行可能なプログラムを端末装置に送信し、
前記マイクロプロセッサは、受信されたＵＳＢ２．０データを前記無線モジュールを介して送信することを特徴とする請求項２に記載のデータ伝送装置。
【請求項１３】
第２データ変換チップをさらに含み、
前記第１データ変換チップは、前記第２データ変換チップを介して前記マイクロプロセッサに接続されることを特徴とする請求項１乃至１２の何れかに記載のデータ伝送装置。
【請求項１４】
データ伝送方法であって、
Ｔｙｐｅ−Ｃポートの電源ピンを介して基本動作電圧を受信し、電源をオンにするステップと、
処理装置により送信された問い合わせデータパケットを受信するステップと、
前記処理装置に応答情報を送信するステップであって、前記応答情報は、データ伝送装置がＤＰ（ＤｉｓｐｌａｙＰｏｒｔ）動作モードをサポートする旨のことを含む、ステップと、
差動信号伝送ピンを介して、前記処理装置により送信されたＤＰプロトコルフォーマットのメディアデータを受信するステップであって、前記メディアデータは、前記処理装置に表示されるビデオデータ又はオーディオデータのうちの少なくとも１つを含む、ステップと、
所定の符号化方式に従って、前記メディアデータを圧縮するステップと、
前記圧縮されたメディアデータを無線ネットワークを介してデータ受信側に送信するステップと、を含むことを特徴とするデータ伝送方法。
【請求項１５】
前記Ｔｙｐｅ−Ｃポートを介して、前記処理装置により送信された問い合わせデータパケットを受信し、前記問い合わせデータパケットは、ＶＤＭ（Ｖｅｎｄｏｒ  Ｄｅｆｉｎｅｄ  Ｍｅｓｓａｇｅ）信号であり、
前記Ｔｙｐｅ−Ｃポートを介して前記処理装置に応答情報を送信し、前記応答情報は、現在の動作モードがＤＰモードである旨のことを含む、を含むことを特徴とする請求項１４に記載のデータ伝送方法。
【請求項１６】
前記所定の符号化方式に従って、前記メディアデータを圧縮をするステップは、
前記ＤＰプロトコルフォーマットのメディアデータをＨ．２６４／Ｈ．２６５フォーマットのデータ及び／又はＡＡＣフォーマットのデータに圧縮するステップ、を含むことを特徴とする請求項１４又は１５に記載のデータ伝送方法。
【請求項１７】
前記ＤＰプロトコルフォーマットのメディアデータをＨ．２６４／Ｈ．２６５フォーマットのデータ及び／又はＡＡＣフォーマットのデータに圧縮する前に、画面キャストの開始指令を受信することを特徴とする請求項１６に記載のデータ伝送方法。
【請求項１８】
前記所定の符号化方式に従って、前記メディアデータを圧縮するステップは、
前記ＤＰプロトコルフォーマットのメディアデータをＭＩＰＩフォーマットのビデオデータ及び／又はＩ２Ｓフォーマットのオーディオデータに変換し、前記ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮するステップ、を含むことを特徴とする請求項１４又は１５に記載のデータ伝送方法。
【請求項１９】
前記ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮する前に、画面キャストの開始指令を受信することを特徴とする請求項１８に記載のデータ伝送方法。
【請求項２０】
データ受信側からのタッチ信号を受信し、処理装置が前記タッチ信号に基づいて対応する動作を行うように前記タッチ信号を前記処理装置に送信するステップ、をさらに含むことを特徴とする請求項１４乃至１９の何れかに記載のデータ伝送方法。
【請求項２１】
無線画面キャスト装置に適用されるデータ伝送方法であって、
前記無線画面キャスト装置は、Ｔｙｐｅ−Ｃポートと、無線モジュールと、データ変換チップと、マイクロプロセッサと、を含み、
前記データ変換チップは前記Ｔｙｐｅ−Ｃポート及びマイクロプロセッサにそれぞれ接続され、前記マイクロプロセッサは前記無線モジュールに接続され、
前記Ｔｙｐｅ−Ｃポートは、少なくとも１対の差動信号伝送ピンを含み、
前記Ｔｙｐｅ−Ｃポートの電源ピンは、基本動作電圧を受信し、
前記データ変換チップは、前記Ｔｙｐｅ−Ｃポートを介して、処理装置により送信された問い合わせデータパケットを受信し、
前記データ変換チップは、前記Ｔｙｐｅ−Ｃポートを介して前記処理装置に応答情報を送信し、前記応答情報は、前記無線画面キャスト装置がＤＰ（ＤｉｓｐｌａｙＰｏｒｔ）動作モードをサポートする旨のことを含み、
前記データ変換チップは、前記差動信号伝送ピンを介して、前記処理装置により送信されたＤＰプロトコルフォーマットのメディアデータを受信し、前記メディアデータは、前記処理装置に表示されるビデオデータ又はオーディオデータのうちの少なくとも１つを含み、
前記データ変換チップは、前記ＤＰプロトコルフォーマットのメディアデータをＭＩＰＩフォーマットのビデオデータ及び／又はＩ２Ｓフォーマットのオーディオデータに変換し、
前記データ変換チップは、前記ＭＩＰＩフォーマットのビデオデータ及び／又はＩ２Ｓフォーマットのオーディオデータを前記マイクロプロセッサに送信し、
前記マイクロプロセッサは、前記ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮し、
前記マイクロプロセッサは、前記Ｈ．２６４／Ｈ．２６５フォーマットのデータ及び／又はＡＡＣフォーマットのデータを前記無線モジュールを介してデータ受信側に送信することを特徴とするデータ伝送方法。
【請求項２２】
前記マイクロプロセッサが前記ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮する前に、
前記マイクロプロセッサが、画面キャストの開始指令を受信するステップ、をさらに含むことを特徴とする請求項２１に記載のデータ伝送方法。
【請求項２３】
前記マイクロプロセッサが、画面キャストの終了指令を受信するステップと、
前記マイクロプロセッサが、ビデオデータ及び／又はオーディオデータの圧縮及び符号化を停止し、前記無線モジュールを介する前記データ受信側への送信を停止するステップと、
前記マイクロプロセッサが、前記データ変換チップから受信されたビデオデータ及び／又はオーディオデータに対して破棄処理を行うステップと、をさらに含むことを特徴とする請求項２２に記載のデータ伝送方法。
【請求項２４】
前記マイクロプロセッサが画面キャストの開始指令を受信する前に、
前記マイクロプロセッサが、前記データ変換チップから受信されたビデオデータ及び／又はオーディオデータに対して破棄処理を行うステップ、をさらに含むことを特徴とする請求項２２に記載のデータ伝送方法。
【請求項２５】
無線画面キャスト装置であって、
前記無線画面キャスト装置は、Ｔｙｐｅ−Ｃポートと、無線モジュールと、データ変換チップと、マイクロプロセッサと、を含み、
前記データ変換チップは前記Ｔｙｐｅ−Ｃポート及びマイクロプロセッサにそれぞれ接続され、前記マイクロプロセッサは前記無線モジュールに接続され、
前記Ｔｙｐｅ−Ｃポートは、少なくとも１対の差動信号伝送ピンを含み、
前記Ｔｙｐｅ−Ｃポートは、基本動作電圧を受信する電源ピンをさらに含み、
前記データ変換チップは、前記Ｔｙｐｅ−Ｃポートを介して、処理装置により送信された問い合わせデータパケットを受信し、
前記データ変換チップは、前記Ｔｙｐｅ−Ｃポートを介して前記処理装置に応答情報を送信し、前記応答情報は、前記無線画面キャスト装置がＤＰ（ＤｉｓｐｌａｙＰｏｒｔ）動作モードをサポートする旨のことを含み、
前記データ変換チップは、前記差動信号伝送ピンを介して、前記処理装置により送信されたＤＰプロトコルフォーマットのメディアデータを受信し、前記メディアデータは、前記処理装置に表示されるビデオデータ又はオーディオデータのうちの少なくとも１つを含み、
前記データ変換チップは、前記ＤＰプロトコルフォーマットのメディアデータをＭＩＰＩフォーマットのビデオデータ及び／又はＩ２Ｓフォーマットのオーディオデータに変換し、
前記データ変換チップは、前記ＭＩＰＩフォーマットのビデオデータ及び／又はＩ２Ｓフォーマットのオーディオデータを前記マイクロプロセッサに送信し、
前記マイクロプロセッサは、前記ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮し、
前記マイクロプロセッサは、前記Ｈ．２６４／Ｈ．２６５フォーマットのデータ及び／又はＡＡＣフォーマットのデータを前記無線モジュールを介してデータ受信側に送信することを特徴とする無線画面キャスト装置。
【請求項２６】
前記マイクロプロセッサは、前記ＭＩＰＩフォーマットのビデオデータ及び／又はＩ２ＳフォーマットのオーディオデータをＨ．２６４／Ｈ．２６５フォーマットのデータ及び／又はＡＡＣフォーマットのデータに圧縮する前に、画面キャストの開始指令を受信することを特徴とする請求項２５に記載の無線画面キャスト装置。
【請求項２７】
前記マイクロプロセッサは、画面キャストの終了指令を受信し、
前記マイクロプロセッサは、画面キャストの終了指令を受信した後に、ビデオデータ及び／又はオーディオデータの圧縮及び符号化を停止し、前記無線モジュールを介する前記データ受信側への送信を停止し、
前記マイクロプロセッサは、画面キャストの終了指令を受信した後に、前記データ変換チップから受信されたビデオデータ及び／又はオーディオデータに対して破棄処理を行うことを特徴とする請求項２６に記載の無線画面キャスト装置。
【請求項２８】
前記マイクロプロセッサは、画面キャストの開始指令を受信する前に、前記データ変換チップから受信されたビデオデータ及び／又はオーディオデータに対して破棄処理を行うことを特徴とする請求項２６に記載の無線画面キャスト装置。
【国際調査報告】
2022500883.tif 000010
2022500883.tif 000011
2022500883.tif 000012
2022500883.tif 000013
2022500883.tif 000014
2022500883.tif 000015